(57)【要約】【課題】回転リールの回転が開始してから所定の時間が経過した場合には、回転リールの回転を自動的に停止させるスロットマシンを提供する。【解決手段】スロットマシンSに、ホッパー5のメダル排出口5aから払出口41へ移送されるメダルを、メダルを移送するための払出通路6aの途中で回収するためのメダル回収部80と、回転リール23に付されている図柄を、図柄表示窓32を介しての視認可能及び視認不可能とするための遮蔽部62とを備え、回転リール23が回転を開始してから所定の時間に達したと判断された場合には回転リール23の回転を自動停止させ、回転リール23の回転を自動停止させたときには、遮蔽部62により回転リール23に付されている図柄を、図柄表示窓32を介しての視認不可能にするとともに、少なくとも入賞判定の結果により入賞したときでもスロットマシンSからメダルが払い出されないようにした。【選択図】図２
2008237471.tif 000002
【特許請求の範囲】
【請求項１】
メダルの投入を遊技の開始条件とし、遊技の結果に基づいて、所定の数量のメダルが払出口から払い出されるスロットマシンであって、
周囲に複数の図柄が付されている回転リールと、
回転リールの回転を開始させるためのスタートスイッチと、
回転リールの回転を停止させるためのストップスイッチと、
回転リールに付されている図柄を外部から視認可能にするための図柄表示窓と、
投入されたメダルを貯留し、かつ、貯留したメダルをメダル排出口から排出するためのホッパーと、
メダル排出口から排出されたメダルを払出口へ移送するための払出通路と、
メダル排出口から払出口へ移送されるメダルを払出通路の途中で回収するためのメダル回収部と、
回転リールに付されている図柄の図柄表示窓を介しての視認を可能にしたり不可能にしたりするための遮蔽部と、
スロットマシンの動作を制御する制御装置とを備え、
制御装置は、
図柄の組み合わせにより構成される当選役に当選したか否かを抽選するための当選抽選手段と、
全ての回転リールの回転が停止した際の図柄の配列に基づいて、当選役に入賞したか否かの判定を行うための入賞判定手段と、
入賞判定手段の判定結果に基づいて、メダル排出口からメダルを排出させるようにホッパーの動作を制御するホッパー制御手段と、
回転リールの回転の開始から、ストップスイッチが操作されるまでの時間を計測する回転リール時間計測手段と、
回転リール時間計測手段の計測した時間が所定の時間に達したか否かを判定する回転リール時間判定手段と、
回転リール時間判定手段により、回転リール時間計測手段の計測した時間が所定の時間に達したと判定されたときに、回転リールの回転を停止させるための自動停止手段と、
自動停止手段が回転リールの回転を停止させたとき、回転リールに付されている図柄の図柄表示窓を介しての視認が不可能になるように、遮蔽部の動作を制御する遮蔽部制御手段と、
自動停止手段が回転リールの回転を停止させた場合であって、少なくともホッパー制御手段が入賞判定手段の判定結果に基づいてメダル排出口からメダルを排出させるようにホッパーの動作を制御したときには、メダルを回収するようにメダル回収部の動作を制御するメダル回収部制御手段と、
を備えていることを特徴とするスロットマシン。
【請求項２】
メダルの投入を遊技の開始条件とし、遊技の結果に基づいて、所定の数量のメダルが払出口から払い出されるスロットマシンであって、
周囲に複数の図柄が付されている回転リールと、
回転リールの回転を開始させるためのスタートスイッチと、
回転リールの回転を停止させるためのストップスイッチと、
回転リールに付されている図柄を外部から視認可能にするための図柄表示窓と、
投入されたメダルを貯留し、かつ、貯留したメダルをメダル排出口から排出するためのホッパーと、
メダル排出口から排出されたメダルを払出口へ移送するための払出通路と、
回転リールに付されている図柄の図柄表示窓を介しての視認を可能にしたり不可能にしたりするための遮蔽部と、
スロットマシンの動作を制御する制御装置とを備え、
制御装置は、
図柄の組み合わせにより構成される当選役に当選したか否かを抽選するための当選抽選手段と、
全ての回転リールの回転が停止した際の図柄の配列に基づいて、当選役に入賞したか否かの判定を行うための入賞判定手段と、
入賞判定手段の判定結果に基づいて、メダル排出口からメダルを排出させるようにホッパーの動作を制御するホッパー制御手段と、
回転リールの回転の開始から、ストップスイッチが操作されるまでの時間を計測する回転リール時間計測手段と、
回転リール時間計測手段の計測した時間が所定の時間に達したか否かを判定する回転リール時間判定手段と、
回転リール時間判定手段により、回転リール時間計測手段の計測した時間が所定の時間に達したと判定されたときに、回転リールの回転を停止させるための自動停止手段と、
自動停止手段が回転リールの回転を停止させたとき、回転リールに付されている図柄の図柄表示窓を介しての視認が不可能になるように、遮蔽部の動作を制御する遮蔽部制御手段と、
自動停止手段が回転リールの回転を停止させたときは、入賞判定手段による入賞判定を行わせないようにする入賞判定停止手段と、
を備えていることを特徴とするスロットマシン。
【請求項３】
メダルの投入を遊技の開始条件とし、遊技の結果に基づいて、所定の数量のメダルが払出口から払い出されるスロットマシンであって、
周囲に複数の図柄が付されている回転リールと、
回転リールの回転を開始させるためのスタートスイッチと、
回転リールの回転を停止させるためのストップスイッチと、
回転リールに付されている図柄を外部から視認可能にするための図柄表示窓と、
投入されたメダルを貯留し、かつ、貯留したメダルをメダル排出口から排出するためのホッパーと、
メダル排出口から排出されたメダルを払出口へ移送するための払出通路と、
回転リールに付されている図柄の図柄表示窓を介しての視認を可能にしたり不可能にしたりするための遮蔽部と、
スロットマシンの動作を制御する制御装置とを備え、
制御装置は、
図柄の組み合わせにより構成される当選役に当選したか否かを抽選するための当選抽選手段と、
全ての回転リールの回転が停止した際の図柄の配列に基づいて、当選役に入賞したか否かの判定を行うための入賞判定手段と、
入賞判定手段の判定結果に基づいて、メダル排出口からメダルを排出させるようにホッパーの動作を制御するホッパー制御手段と、
回転リールの回転の開始から、ストップスイッチが操作されるまでの時間を計測する回転リール時間計測手段と、
回転リール時間計測手段の計測した時間が所定の時間に達したか否かを判定する回転リール時間判定手段と、
回転リール時間判定手段により、回転リール時間計測手段の計測した時間が所定の時間に達したと判定されたときに、回転リールの回転を停止させるための自動停止手段と、
自動停止手段が回転リールの回転を停止させたとき、回転リールに付されている図柄の図柄表示窓を介しての視認が不可能になるように、遮蔽部の動作を制御する遮蔽部制御手段と、
自動停止手段が回転リールの回転を停止させたときは、入賞判定手段による判定結果を無効にする入賞判定無効手段と、
を備えていることを特徴とするスロットマシン。
【請求項４】
遮蔽部は、回転リールに付されている図柄の図柄表示窓を介しての視認を不可能にしたとき、回転リールの回転が自動停止したことを表示するように形成されていることを特徴とする請求項１、２又は３記載のスロットマシン。
【請求項５】
遮蔽部は、液晶パネルを用いて構成されていることを特徴とする請求項１、２、３又は４記載のスロットマシン。
【請求項６】
遮蔽部制御手段は、自動停止手段が回転リールの回転を停止させるときには、回転リールの回転が停止する前に、回転リールに付されている図柄の図柄表示窓を介しての視認を不可能にするように遮蔽部の動作を制御し、かつ、その後、スタートスイッチが操作されることにより、回転リールの回転が開始するときには、回転リールの回転が開始した後に、回転リールに付されている図柄の図柄表示窓を介しての視認を可能にするように、遮蔽部の動作を制御するように形成されていることを特徴とする請求項１、２、３、４又は５記載のスロットマシン。
【発明の詳細な説明】
【技術分野】
【０００１】
この発明は、スロットマシンに関し、更に詳しくは、回転リールの回転が開始してから所定の時間が経過した場合には、回転リールの回転を自動的に停止させるとともに、自動的に回転リールの回転を停止させたときは、回転リールの図柄を外部から隠すようにしたスロットマシンに関する。
【背景技術】
【０００２】
従来より、スロットマシン等においては、回転リール、クレジットメダルをスロットマシンSに投入するためのベットスイッチ、回転リールの回転を開始させるためのスタートスイッチ、及び回転リールの回転を停止させるためのストップスイッチ等を備えている。そして、このようなスロットマシンでは、メダルが投入され、スタートスイッチが操作されること等を条件に、当選か否かの抽選が行われ、複数の回転リールが回転し、ストップスイッチの操作のタイミングにより回転リールが停止する。そして、抽選結果及び回転リールの停止結果に基づき入賞したか否かが判定され、入賞したと判定された場合、入賞の種類に応じた枚数のメダルが払い出される。
【０００３】
また、遊技者の意志とは関係なく、所定時間の経過等により回転リールを自動的に停止させた場合、当該遊技における表示図柄は、遊技開始前の回転リールの表示図柄に依存することになる。すなわち、遊技開始前の表示図柄に基づいて自動停止を意図的に作動させれば、ストップボタンによる停止操作の場合に比較して、入賞の確率が高くなり遊技の公正さに欠けることになるため、回転リールを自動的に停止させた場合、入賞しないようにすることが望ましい。
また、特許文献１に開示されている回胴式遊技機では、スタートレバーによるリールの回転開始から所定の時間経過後に回転中のリールを停止させる自動停止手段を備え、この自動停止手段は、当該遊技において大当たり装置が作動しているとき、自動停止させるリールにおいて入賞を形成しない図柄を選択し表示させることにより、大当たり装置が作動しているとき自動停止されたリールは、入賞の機会がなくなるので、自動停止させた場合の不公正な高配当が回避できるとされている。
【０００４】
また、特許文献２に開示されている回胴式遊技機では、ストップボタンの操作を契機にストップボタンに対応するリールを停止制御するストップボタン停止手段と、スタートレバーによる回転開始操作から所定時間経過後に回転中のリールを停止する自動停止手段と、ストップボタン停止手段により停止制御された全てのリールが表示する図柄の組み合わせに応じて入賞の判定を行うとともに、この自動停止手段により少なくとも一のリールが停止制御された場合には入賞の判定を行わないようにすることにより、遊技開始前の表示図柄に応じて自動停止を意図的に作動させ入賞の機会を増加させるという有利性が排除され、公正な遊技を提供できるとされている。
【特許文献１】特開２００６−５０４号公報
【特許文献２】特開２００６−５１０号公報
【発明の開示】
【発明が解決しようとする課題】
【０００５】
しかし、前記特許文献１記載の回胴式遊技機では、リールを自動停止させた場合に入賞を形成しない図柄を停止表示するような制御を、遊技機の制御を行う制御装置等に行わせるため、遊技の制御を行う制御装置等に大きな処理負担を強いることになる。
また、前記特許文献２記載の回胴式遊技機では、リールが自動停止した場合には、停止図柄が入賞の態様であっても、メダルの払い出しが無い場合が考えられ、遊技者に、入賞の態様であるのに、メダルの払い出しがされないという不快感を抱かせることになる。
そこで、本発明は、上記状況に鑑み以下の点を目的とする。
（請求項１）
すなわち、請求項１記載の発明は、スロットマシンに、回転リールに付されている図柄を外部から視認可能にするために図柄表示窓と、投入されたメダルを貯留し、かつ、入賞したか否かの判定結果に基づいて貯留されたメダルをメダル排出口から排出するためのホッパーと、ホッパーのメダル排出口から排出されたメダルをスロットマシンの払出口へ移送するための払出通路と、メダル排出口から払出口へ移送されるメダルを払出通路の途中で回収するためのメダル回収部と、回転リールに付されている図柄の図柄表示窓を介しての視認を可能にしたり、不可能にしたりするための遮蔽部とを備え、回転リールが回転を開始してからストップスイッチが操作されるまでの時間が所定の時間に達した場合には、回転リールの回転を自動停止させるとともに、回転リールに付されている図柄の図柄表示窓を介しての視認が不可能になるように遮蔽部の動作を制御し、かつ、回転リールの回転を自動停止させた場合であって、少なくとも入賞したか否かの判定結果に基づいて、ホッパーのメダル排出口からメダルを排出させるようにしたときには、メダルを回収するようにメダル回収部の動作を制御することにより、回転リールの回転の自動停止させた場合には、遊技の動作を制御する制御装置等に、過度の処理負担をかけることなく、入賞時メダルの払い出しを行わないようにできるとともに、遊技の結果である回転リール停止時の表示態様が入賞の態様であっても、遊技者からその表示を見えないようすることができ、遊技者からの不満を回避することができるスロットマシンを提供することを目的とする。
【０００６】
（請求項２）
請求項１記載の発明は、スロットマシンに、回転リールに付されている図柄を外部から視認可能にするために図柄表示窓と、投入されたメダルを貯留し、かつ、入賞したか否かの判定結果に基づいて貯留されたメダルをメダル排出口から排出するためのホッパーと、ホッパーのメダル排出口から排出されたメダルをスロットマシンの払出口へ移送するための払出通路と、回転リールに付されている図柄の図柄表示窓を介しての視認を可能にしたり、不可能にしたりするための遮蔽部とを備え、回転リールが回転を開始してからストップスイッチが操作されるまでの時間が所定の時間に達した場合には、回転リールの回転を自動停止させるとともに、回転リールに付されている図柄の図柄表示窓を介しての視認が不可能になるように遮蔽部の動作を制御し、かつ、自動停止手段が回転リールの回転を停止させたときは、入賞判定手段による入賞判定を行わせないようにすることにより、回転リールの回転を自動停止させた場合には、遊技の動作を制御する制御装置に過度の処理負担をかけることなく、入賞時のメダルの払い出しを行わないようにできるとともに、遊技の結果である回転リール停止時の表示態様が入賞の態様であっても、遊技者からその表示態様を見えないようにすることができ、遊技者からの不満を回避することができるスロットマシンを提供することを目的とする。
【０００７】
（請求項３）
請求項３記載の発明は、スロットマシンに、回転リールに付されている図柄を外部から視認可能にするために図柄表示窓と、投入されたメダルを貯留し、かつ、入賞したか否かの判定結果に基づいて貯留されたメダルをメダル排出口から排出するためのホッパーと、ホッパーのメダル排出口から排出されたメダルをスロットマシンの払出口へ移送するための払出通路と、回転リールに付されている図柄の図柄表示窓を介しての視認を可能にしたり、不可能にしたりするための遮蔽部とを備え、回転リールが回転を開始してからストップスイッチが操作されるまでの時間が所定の時間に達した場合には、回転リールの回転を自動停止させるとともに、回転リールに付されている図柄の図柄表示窓を介しての視認が不可能になるように遮蔽部の動作を制御し、かつ、自動停止手段が回転リールの回転を停止させたときは、入賞判定手段による判定結果を無効にすることにより、回転リールの回転を自動停止させた場合には、遊技の動作を制御する制御装置に過度の処理負担をかけることなく、入賞時のメダルの払い出しを行わないようにできるとともに、遊技の結果である回転リール停止時の表示態様が入賞の態様であっても、遊技者からその表示態様を見えないようにすることができ、遊技者からの不満を回避することができるスロットマシンを提供することを目的とする。
【０００８】
（請求項４）
請求項４記載の発明は、請求項１、２又は３記載の発明の目的に加えて、遮蔽部が回転リールに付されている図柄の図柄表示窓を介しての視認を不可能にしたとき、回転リールの回転が自動停止したことを表示するようにすることにより、回転リールが自動停止したときには、その旨を遊技者に報知することができるスロットマシンを提供することを目的とする。
（請求項５）
請求項５記載の発明は、請求項１、２、３又は４記載の発明の目的に加えて、遮蔽部を、液晶パネルを用いて構成することにより、回転リールが自動停止したときには、その旨を遊技者に報知することができるととに、液晶パネルに文字や図柄を表示することによる演出効果も期待できるスロットマシンを提供することを目的とする。
【０００９】
（請求項６）
請求項６記載の発明は、請求項１、２、３、４又は５記載の発明の目的に加えて、回転リールの回転を自動停止させるときには、回転リールの回転が停止する前に、回転リールに付されている図柄の図柄表示窓を介しての視認を不可能にするように遮蔽部の動作を制御し、かつ、その後、スタートスイッチが操作されることにより、回転リールの回転が開始するときには、回転リールの回転が開始した後に、回転リールに付されている図柄の図柄表示窓を介しての視認を可能にするように、遮蔽部の動作を制御することにより、回転リールの回転を自動停止させた場合に、回転リールの停止表示図柄を、確実に遊技者が視認することができないようにすることができるスロットマシンを提供することを目的とする。
【課題を解決するための手段】
【００１０】
各請求項にそれぞれ記載された発明は、前述の目的を達成するためになされたものである。なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、メダルの投入を遊技の開始条件とし、遊技の結果に基づいて、所定の数量のメダルが払出口41から払い出されるスロットマシンSであって、周囲に複数の図柄が付されている回転リール23と、回転リール23の回転を開始させるためのスタートスイッチ54と、回転リール23の回転を停止させるためのストップスイッチ55と、回転リール23に付されている図柄を外部から視認可能にするための図柄表示窓32と、投入されたメダルを貯留し、かつ、貯留したメダルをメダル排出口5aから排出するためのホッパー5と、メダル排出口5aから排出されたメダルを払出口41へ移送するための払出通路6aと、メダル排出口5aから払出口41へ移送されるメダルを払出通路6aの途中で回収するためのメダル回収部80と、回転リール23に付されている図柄の図柄表示窓32を介しての視認を可能にしたり、不可能にしたりするための遮蔽部62と、スロットマシンSの動作を制御する制御装置200とを備え、制御装置200は、図柄の組み合わせにより構成される当選役に当選したか否かを抽選するための当選抽選手段280と、全ての回転リール23の回転が停止した際の図柄の配列に基づいて、当選役に入賞したか否かの判定を行うための入賞判定手段268と、入賞判定手段268の判定結果に基づいて、メダル排出口5aからメダルを排出させるようにホッパー5の動作を制御するホッパー制御手段300と、回転リール23の回転の開始から、ストップスイッチ55が操作されるまでの時間を計測する回転リール時間計測手段232と、回転リール時間計測手段232の計測した時間が所定の時間に達したか否か判定する回転リール時間判定手段234と、回転リール時間判定手段234により、回転リール時間計測手段232の計測した時間が所定の時間に達したと判定されたときに、回転リール23の回転を停止させるための自動停止手段230と、自動停止手段230が回転リール23の回転を停止させたとき、回転リール23に付されている図柄の図柄表示窓32を介しての視認が不可能になるように、遮蔽部62の動作を制御する遮蔽部制御手段240と、自動停止手段230が回転リール23の回転を停止させた場合であって、少なくともホッパー制御手段300が入賞判定手段268の判定結果に基づいてメダル排出口5aからメダルを排出させるようにホッパー5の動作を制御したときには、メダルを回収するようにメダル回収部80の動作を制御するメダル回収部制御手段250と、を備えていることを特徴とする。
【００１１】
ここで、スロットマシンSは、メダルの投入を遊技の開始条件としている。また、スロットマシンSは、遊技の結果に基づいて、所定の数量のメダルが払出口41から払い出されるように形成されている。
また、「回転リール23」には、周囲に複数の図柄が付されている。また、回転リール23は、１個備えられていても良いし、複数備えられていても良い。また、例えば、向かって左端側に位置する左側回転リール23aと、て右端側に位置する右側回転リール23cと、この左側回転リール23a及び右側回転リール23cの間に位置する中央回転リール23bとの、３個の回転リール23を備えることができる。
【００１２】
また、「スタートスイッチ54」は、の回転リール23の回転を開始させるためのものである。
また、「ストップスイッチ55」は、回転ルール23の回転を停止させるためのものである。また、例えば、回転リール23を複数備えた場合には、各回転リール23の回転をそれぞれ停止させるために、各回転リール23のそれぞれに対応してストップスイッチ55を備えることにより、複数のストップスイッチ55を備えるようにしても良い。
また、「図柄表示窓32」は、回転リール23に付されている図柄を外部から視認可能にするためのものである。具体的には、スロットマシンSに備えられている前扉3等に、前記回転リール23の図柄を正面側から見ることができる四角窓状の表示窓を形成することにより、図柄表示窓32を備えることができる。
【００１３】
また、「ホッパー5」は、投入されたメダルを貯留し、かつ、貯留したメダルをメダル排出口5aから排出するためのものである。
また、「払出通路6a」は、メダル排出口5aから排出されたメダルを払出口41へ移送するためのものである。
具体的には、例えば、上端がホッパー5のメダル排出口5aに連設され、下端は下扉40払出口41に連設されている、筒状に形成された払出通路部材6を備える。そして、払出通路部材6の内部をメダルが通過可能に形成する。そして、払出通路部材6を、上端から下端に向かうにしたがって、高さが低くなるように傾斜して備えるようにする。これにより、払出通路部材6内に、メダル排出口5aから排出されたメダルを払出口41へ移送可能な払出通路6aを形成することができる。
【００１４】
また、払出通路6aは、メダル排出口5aから排出されたメダルを払出口41へ移送可能に形成されていれば、その形状、構造等は特定されない。
また、メダル回収部80は、メダル排出口5aから払出口41へ移送されるメダルを払出通路6aの途中で回収するためのものである。
ここで、「回収」には、メダル排出口5aから排出されたメダルを、スロットマシンS内のホッパー5や予備タンク8等に戻すことや、スロットマシンSが多数設置されている遊技場等で、メダルを一括管理するシステムを用いている場合には、その一括管理するシステムにおけるメダルを貯留するタンク等に戻すことを含む概念である。
【００１５】
また、具体的には、例えば、メダル回収部80を、振分部82と、回収通路部材7とを有するように形成することができる。また、回収通路部材7を筒状に形成し、内部にメダルの通過が可能な回収通路7aが形成されるようにする。また、例えば、上述のように、払出通路部材6内部に払出通路6aを設けるように形成した場合、払出通路部材6における右側側板の所定の位置に右側開口を形成する。また、払出通路部材6に形成された右側開口をメダルの通過が可能に形成する。また、回収通路部材7の左端を、払出通路部材6の右側側板に形成されている右側開口と連設するように形成する。また、払出通路部材6に形成された右側開口を、払出通路部材6の内部に形成されている払出通路6aと、回収通路部材7の内部に形成されている回収通路7aとを連通するように形成する。
【００１６】
また、具体的には、例えば、回収通路部材7の右端に、外部に開口する回収通路排出口7bを形成する。また、回収通路部材7を、左端から右端に向かうにしたがって、高さが低くなるように傾斜するように形成する。また、回収通路部材7の右端に形成されている回収通路排出口7bの下方には、予備タンク8を備える。また、予備タンク8の上端における回収通路排出口7bの下方に相当する位置に、上方へ向けて開口している開口部を形成する。これにより、回収通路7aを、メダルを左端から右端へ向けて移送可能に形成し、かつ、右端に形成されている回収通路排出口7bからメダルを排出するように形成することができる。また、回収通路7aの右端に形成されている回収通路排出口7bから排出されたメダルは、予備タンク8の上端の開口部から予備タンク8内に至るように形成する。すなわち、払出通路6aを移送されるメダルを、途中で予備タンク8へ戻すことにより回収することができるように形成することができる。
【００１７】
また、例えば、振分部82は、払出通路6aを通過するメダルを、払出通路6aにおける振分部82よりも下方の通路、又は回収通路7aのいずれか一方へ導くためのものである。また、振分部82を、払出停止板84と、通路開放板86と、払出停止板駆動装置85と、通路開放板駆動装置87とを備えるように形成することができる。
また、具体的には、この場合、通路開放板86を、払出通路部材6に形成されている右側開口を塞ぐことが可能な形状に形成する。また、通路開放板86を、通路開放板駆動装置87に取り付けられることにより動作が可能に形成することができる。また、通路開放板駆動装置87には、ソレノイドを用いることができる。また、通路開放板駆動装置87であるソレノイドの駆動軸の先端付近に、通路開放板86の下端を取り付ける。また、通路開放板駆動装置87であるソレノイドの駆動軸の先端付近に、通路開放板86の下端を取り付けることにより、通路開放板86を上下方向へ向けて移動可能になるように形成することができる。また、通路開放板86を上方向へ向けて移動させたとき、払出通路部材6の右側側板に形成されている右側開口を塞ぐような位置に移動するように、通路開放板86と通路開放板駆動装置87とを形成することができる。また、通路開放板86を下方向へ向けて移動させたとき、払出通路部材6に右側開口が開口し、払出通路6aと、回収通路7aとが連通するように形成することができる。
【００１８】
また、具体的には、例えば、払出通路部材6における左側側板の所定の位置に、払出通路6aと外部とを連通する左側開口を形成する。また、払出停止板84を、左側開口を塞ぐことが可能な形状に形成する。また、払出停止板84を、払出停止板駆動装置85に取り付けられることにより動作が可能に形成する。また、払出停止板駆動装置85には、ステップモータを用いていることができる。また、払出停止板駆動装置85であるステップモータの駆動軸に、払出停止板84の後端を取り付けることにより、払出停止板84を、払出停止板駆動装置85であるステップモータの駆動軸を中心に左右方向へ向けて回動可能に形成することができる。また、払出停止板84を左方向へ向けて回動させたとき、払出通路6aの左側側板に形成されている左側開口を塞ぐような位置に移動するように、払出停止板84と払出停止板駆動装置85とを形成する。また、払出停止板84を右方向へ向けて回動させたとき、払出通路6aを塞ぐとともに、払出通路6aを移動するメダルが、払出通路部材6に形成される右側開口を介して回収通路7aへ至るように、払出停止板84と払出停止板駆動装置85とを形成する。
【００１９】
また、通路開放板駆動装置87及び払出停止板駆動装置85を含むメダル回収部80は、後述する、メダル回収部制御手段250によりその動作が制御されている。
また、具体的には、例えば、メダル回収部80を、後述するメダル回収部制御手段250からメダル回収部80へ向けて出力された回収信号を受信すると、通路開放板駆動装置87が通路開放板86を下方へ向けて移動させ払出通路部材6に右側開口が形成されるように通路開放板86の動作を制御し、かつ、払出停止板駆動装置85が払出停止板84を左方へ向けて回動させ、払出通路6aを移動するメダルを払出通路部材6に形成された右側開口を介して回収通路7aへ導くように払出停止板84の動作を制御するように形成することができる。
【００２０】
また、回収通路7aを備えずに、振分部82が、払出通路6aに設けられた右側開口からメダルを排出すると、そのまま予備タンク8に戻るように形成しても良い。
また、「遮蔽部62」は、回転リール23に付されている図柄の図柄表示窓32を介しての視認を可能にしたり、不可能にしたりするためのものである。
具体的には、例えば、遮蔽部材61と、駆動装置とを備える遮蔽装置60をリールユニット20に取り付けるように形成することができる。また、遮蔽部材61を、板状に形成された遮蔽部62と、遮蔽部62の左右の両端から、リールユニット20に備えられている回転リール23の中心方向へ向けて立設されている２枚の側板64とを有するように形成することができる。また、駆動装置を、リールユニット20の左右の側部内にそれぞれ備えることができる。すなわち、駆動装置を、合計２個備えることができる。また、各駆動装置には、ステップモータを用いていることができる。また、リールユニット20の左の側部内に設けられている駆動装置を、リールユニット20の左の側部から左方向へ向けて回転軸65が突出するように備える。また、リールユニット20の右の側部内に設けられている駆動装置を、リールユニット20の右の側部から右方向へ向けて回転軸65が突出するように備えることができる。
【００２１】
また、具体的には、例えば、リールユニット20の左の側部内に設けられている駆動装置の回転軸65に、遮蔽部62の左端部に立設されている側板64の先端部付近を取り付け、かつ、リールユニット20の右の側部内に設けられている駆動装置の回転軸65に、遮蔽部62の右端部に立設されている側板64の先端部付近を取り付けることにより、遮蔽部材61は、２個の駆動装置の双方の回転軸65を中心にして、回転リール23の周りを回動可能に取り付けることができる。
また、例えば、駆動装置に取り付けられた遮蔽部材61を、駆動装置の回転軸を中心として、遮蔽部62を前方へ移動（回転）させると、遮蔽部62が回転リール23の前方に位置し、回転リール23の図柄の図柄表示窓32を介しての視認が不可能になるように（停止表示図柄が見えなくなるように）形成することができる。また、駆動装置に取り付けられた遮蔽部材61を、その位置から、駆動装置の回転軸を中心として、遮蔽部62を上方へ移動（回転）させると、遮蔽部62が回転リール23の上方に位置し、回転リール23の図柄の図柄表示窓32を介しての視認が可能になるように（停止表示図柄が見えるように）形成することができる。
【００２２】
また、遮蔽部62は、後述する遮蔽部制御手段240によりその動作が制御されている。
また、具体的には、例えば、遮蔽装置60を、遮蔽部制御手段240から出力された遮蔽信号を受信すると、２個の駆動装置の双方を駆動させ、遮蔽部材61の遮蔽部62を、回転リール23の前方であって、回転リール23の図柄の図柄表示窓32を介しての視認が不可能になる位置（停止表示図柄が見えなくなる位置）に移動するように形成することができる。
また、遮蔽部62としてシャッターを用いることもできる。この場合、具体的には、例えば、遮蔽装置60に、板状に形成された遮蔽部62としてシャッターと、シャッターを上下方向へ移動させるシャッター駆動装置とを備えるように形成することができる。そして、遮蔽部62としてのシャッターを下方向へ向けて移動させると、図柄表示窓32の前面を塞ぎ、回転リール23に付されている図柄の図柄表示窓32を介しての視認を不可能にすることができるように形成する。また、遮蔽部62としてのシャッターを上方向へ向けて移動させると、図柄表示窓32の前方の遮蔽を解除し、回転リール23に付されている図柄の図柄表示窓32を介しての視認を可能にすることができるように形成することができる。また、具体的には、例えば、遮蔽装置60の遮蔽部62としてシャッターを、左側に位置する左シャッターと、右側に位置する右シャッターとから構成することができる。また、この場合、シャッターの駆動装置を、左シャッターを制御する左シャッター駆動装置と、右シャッターを制御する右シャッター駆動装置とから構成することができる。そして、左シャッターと右シャッターを中心方向へ向けて移動（左シャッターを右方向へ向けて移動、及び右シャッターを左方向へ向けて移動）させると、図柄表示窓32の前面を塞ぎ、回転リール23に付されている図柄の図柄表示窓32を介しての視認を不可能にすることができるように形成することができる。また、左シャッターを左方向へ向けて移動させ、かつ、及び右シャッターを右方向へ向けて移動させると、図柄表示窓32の前方の遮蔽を解除し、回転リール23に付されている図柄の図柄表示窓32を介しての視認を可能にすることができるように形成することができる。
【００２３】
また、具体的には、例えば、遮蔽部62として、エレクトロルミネッサンス表示装置を用いることもできる。また、エレクトロルミネッサンス表示装置は、通常、電圧が印加されていない場合には透明の状態となり、電圧が印加されると、非透明の状態になるとともに所定のメッセージや図柄等の表示が可能になるものである。
また、この場合、遮蔽部62としてエレクトロルミネッサンス表示装置が図柄表示窓32を塞ぐように備える。また、遮蔽部62としてエレクトロルミネッサンス表示装置を、通常、電圧が印加されていない場合には透明の状態となり、回転リール23に付されている図柄の図柄表示窓32を介しての視認を可能にすることができるように形成することができる。また、遮蔽部62としてエレクトロルミネッサンス表示装置を、電圧が印加されると、非透明の状態となり、回転リール23に付されている図柄の図柄表示窓32を介しての視認を不可能にするように形成することができる。
【００２４】
また、「制御装置200」は、スロットマシンSの動作の制御するためのものである。
また、制御装置200は、当選抽選手段280と、入賞判定手段268と、ホッパー制御手段300と、回転リール時間計測手段232と、回転リール時間判定手段234と、自動停止手段230と、遮蔽部制御手段240と、メダル回収部制御手段250とを備えている。
また、「当選抽選手段280」は、メダルが投入されていることを条件に、スタートスイッチ54の操作を契機に、当選か否かの抽選を行うためのものである。例えば、メダルがスロットマシンSに投入され、スタートスイッチ54が操作されることが、当選抽選手段280が当選か否かの抽選を行うための条件とすることができる。
【００２５】
また、「入賞判定手段268」は、全ての回転リール23の回転が停止した際の図柄の配列に基づいて入賞か否かの判定を行うものである。具体的には、当選抽選手段280の抽選結果が所定の当選役に当選しており、当該当選にかかる当選図柄が所定の有効入賞ライン上に揃って停止している場合には、入賞信号を出力するように形成することができる。なお、入賞信号には、当選役に対応したメダルの払い出し枚数に関する情報も含ませることができる。
また、「ホッパー制御手段300」は、入賞判定手段268の判定結果に基づいて、メダル排出口5aからメダルを排出させるようにホッパー5の動作を制御するものである。
【００２６】
具体的には、例えば、ホッパー制御手段300は、入賞判定手段268から出力された入賞信号を受信することにより、入賞判定手段268の判定結果を認識することができる。また、ホッパー制御手段300を、ホッパー5へ向けて、入賞判定手段268の判定結果に基づく入賞結果駆動信号を、ホッパー5へ向けて出力するように形成することができる。
ここで、例えば、ホッパー5を、ホッパー制御手段300から出力された入賞結果駆動信号を受信することにより入賞判定手段268の判定結果を認識し、入賞判定手段268の判定結果に基づく所定の枚数のメダルをメダル排出口5aから排出させるように形成することができる。
【００２７】
また、具体的には、例えば、ホッパー制御手段300が、ホッパー5のメダル排出口5aからメダルを排出させるようにホッパー5の動作を制御する場合には、ホッパー駆動開始信号をメダル回収部制御手段250へ向けて出力するように形成することができる。
また、「回転リール時間計測手段232」は、回転リール23の回転の開始から、ストップスイッチ55が操作されるまでの時間を計測するものである。
また、例えば、上述のように、複数の回転リール23を備え、各回転リール23の回転をそれぞれ停止させるために、各回転リール23のそれぞれに対応してストップスイッチ55を備えることにより、ストップスイッチ55を複数備えた場合には、複数のストップスイッチ55のうち、どれか一つが操作されるまでの時間を計測するように、回転リール時間計測手段232を形成しても良いし、全てのストップスイッチ55が操作されるまでの時間を計測するように、回転リール時間計測手段232を形成しても良い。
【００２８】
具体的には、例えば、回転リール時間計測手段232に、時間の計測が可能なタイマーを備えることができる。また、回転リール時間計測手段232を、スロットマシンSの電源投入時等に、計測値が「０」になるように形成することができる。そして、回転リール時間計測手段232を、回転リール23が回転したことを認識すると時間の計測を開始するように形成することができる。そして、回転リール時間計測手段232を、計測した時間のデータである計測時間テータを回転リール時間判定手段234へ向けて連続して出力するように形成することができる。
また、「回転リール時間判定手段234」は、回転リール時間計測手段232の計測した時間が所定の時間に達したか否か判定するものである。
【００２９】
具体的には、例えば、回転リール時間判定手段234を、回転リール時間計測手段232が出力した計測時間データを受信することにより、回転リール時間計測手段232が計測した時間を認識するように形成することができる。そして、回転リール時間判定手段234を、回転リール時間計測手段232が計測した時間が所定の時間（例えば「３０秒」）に達したと判定したとき、停止判定信号を、後述する自動停止手段230、遮蔽部制御手段240及びメダル回収部制御手段250へ向けて出力するように形成することができる。
また、「自動停止手段230」は、回転リール時間判定手段234により、回転リール時間計測手段232の計測した時間が所定の時間に達したと判定されたときに、回転リール23の回転を停止させるためのものである。
【００３０】
具体的には、例えば、自動停止手段230を、回転リール時間判定手段234から出力された停止判定信号を受信することにより、回転リール時間判定手段234により回転リール時間計測手段232の計測した時間が所定の時間に達したことを認識するように形成することができる。また、自動停止手段230を、停止判定信号を受信すると回転停止制御手段266及びメダル回収部制御手段250へ向けて回転停止信号を出力するように形成することができる。
ここで、例えば、回転停止制御手段266を、自動停止手段230から出力された回転停止信号を受信すると、全て回転リール23を停止するように形成することができる。
【００３１】
また、「遮蔽部制御手段240」は、自動停止手段230が回転リール23の回転を停止させたとき、回転リール23に付されている図柄の図柄表示窓32を介しての視認が不可能になるように、遮蔽部62の動作を制御するものである。
例えば、前述のように、遮蔽部62を有する遮蔽装置60を備えた場合、自動停止手段230から出力された回転停止信号を受信すると、遮蔽装置60の遮蔽部62が回転リール23に付されている図柄の図柄表示窓32を介しての視認を不可能にするように、遮蔽部制御手段240を形成することができる。
また、具体的には、遮蔽部制御手段240を、遮蔽部制御手段240を自動停止手段230から出力された回転停止信号を受信すると、遮蔽信号を前述した遮蔽装置60へ向けて出力するように形成することができる。
【００３２】
また、「メダル回収部制御手段250」は、自動停止手段230が回転リール23の回転を停止させた場合であって、少なくともホッパー制御手段300が入賞判定手段268の判定結果に基づいてメダル排出口5aからメダルを排出させるようにホッパー5の動作を制御したときには、メダルを回収するようにメダル回収部80の動作を制御するものである。
具体的には、例えば、また、メダル回収部制御手段250を、自動停止手段230から出力された回転停止信号を受信することにより、自動停止手段230が回転リール23を停止させたことを認識することができるように形成することができる。また、メダル回収部制御手段250を、自動停止手段230から出力された回転停止信号を受信し、かつ、ホッパー制御手段300から出力されたホッパー駆動信号を受信すると、メダル回収部80へ向けて回収信号を出力するように形成することできる。ここで、メダル回収部80を、回収信号を受信すると、メダル排出口5aから排出されたメダルを、払出口41まで移送させず、払出通路6aの途中で回収することができるように形成することができる。
【００３３】
また、メダル回収部制御手段250は、自動停止手段230が回転リール23の回転を停止させた場合であって、少なくともホッパー制御手段300が入賞判定手段268の判定結果に基づいてメダル排出口5aからメダルを排出させるようにホッパー5の動作を制御したときには、メダルを回収するようにメダル回収部80の動作を制御すれば良い。したがって、自動停止手段230が回転リール23の回転を停止させた場合であれば、ホッパー制御手段300が入賞判定手段268の判定結果に基づいてメダル排出口5aからメダルを排出させるようにホッパー5の動作を制御しないときでも、メダルを回収するようにメダル回収部80の動作を制御しても良いし、自動停止手段230が回転リール23の回転を停止させた場合であって、かつ、ホッパー制御手段300が入賞判定手段268の判定結果に基づいてメダル排出口5aからメダルを排出させるようにホッパー5の動作を制御したときに、メダルを回収するようにメダル回収部80の動作を制御しても良いし。
【００３４】
（請求項２）
（特徴点）
請求項２記載の発明は、次の点を特徴とする。
すなわち、請求項２記載の発明は、メダルの投入を遊技の開始条件とし、遊技の結果に基づいて、所定の数量のメダルが払出口41から払い出されるスロットマシンSであって、周囲に複数の図柄が付されている回転リール23と、回転リール23の回転を開始させるためのスタートスイッチ54と、回転リール23の回転を停止させるためのストップスイッチ55と、回転リール23に付されている図柄を外部から視認可能にするための図柄表示窓32と、投入されたメダルを貯留し、かつ、貯留したメダルをメダル排出口5aから排出するためのホッパー5と、メダル排出口5aから排出されたメダルを払出口41へ移送するための払出通路6aと、回転リール23に付されている図柄の図柄表示窓32を介しての視認を可能にしたり、不可能にしたりするための遮蔽部62と、スロットマシンSの動作を制御する制御装置200とを備え、制御装置200は、図柄の組み合わせにより構成される当選役に当選したか否かを抽選するための当選抽選手段280と、全ての回転リール23の回転が停止した際の図柄の配列に基づいて、当選役に入賞したか否かの判定を行うための入賞判定手段268と、入賞判定手段268の判定結果に基づいて、メダル排出口5aからメダルを排出させるようにホッパー5の動作を制御するホッパー制御手段300と、回転リール23の回転の開始から、ストップスイッチ55が操作されるまでの時間を計測する回転リール時間計測手段232と、回転リール時間計測手段232の計測した時間が所定の時間に達したか否か判定する回転リール時間判定手段234と、回転リール時間判定手段234により、回転リール時間計測手段232の計測した時間が所定の時間に達したと判定されたときに、回転リール23の回転を停止させるための自動停止手段230と、自動停止手段230が回転リール23の回転を停止させたとき、回転リール23に付されている図柄の図柄表示窓32を介しての視認が不可能になるように、遮蔽部62の動作を制御する遮蔽部制御手段240と、自動停止手段230が回転リール23の回転を停止させたときは、入賞判定手段268による入賞判定を行わせないようにする入賞判定停止手段と、を備えていることを特徴とする。
【００３５】
ここで、「スロットマシンS」、「回転リール23」、「スタートスイッチ54」、「ストップスイッチ55」、「図柄表示窓32」、「ホッパー5」、「払出通路6a」、「遮蔽部62」、「制御装置200」、「当選抽選手段280」、「入賞判定手段268」、「ホッパー制御手段300」、「回転リール時間計測手段232」、「回転リール時間判定手段234」、「自動停止手段230」及び「遮蔽部制御手段240」については、上記請求項１記載の「スロットマシンS」、「回転リール23」、「スタートスイッチ54」、「ストップスイッチ55」「図柄表示窓32」、「ホッパー5」、「払出通路6a」、「遮蔽部62」、「制御装置200」、「当選抽選手段280」、「入賞判定手段268」、「ホッパー制御手段300」、「回転リール時間計測手段232」、「回転リール時間判定手段234」、「自動停止手段230」及び「遮蔽部制御手段240」と同様である。
【００３６】
また、「入賞判定停止手段」は、自動停止手段230が回転リール23の回転を停止させたときは、入賞判定手段268による入賞判定を行わせないようにするものである。
具体的には、例えば、自動停止手段230が回転リール23を停止させた場合に、入賞判定停止手段へ向けても回転停止信号を出力するように自動停止手段230を形成する。そして、入賞判定停止手段を、回転停止信号を受信すると、入賞判定手段268へ向けて、入賞判定停止信号を出力するように形成する。そして、入賞判定手段268を、入賞判定停止手段から入賞判定手段268へ向けて出力された入賞判定停止信号を受信すると、その後に、回転リール23の回転が停止しても入賞判定を行わないよう形成する。
【００３７】
（請求項３）
（特徴点）
請求項３記載の発明は、次の点を特徴とする。
すなわち、請求項３記載の発明は、メダルの投入を遊技の開始条件とし、遊技の結果に基づいて、所定の数量のメダルが払出口41から払い出されるスロットマシンSであって、周囲に複数の図柄が付されている回転リール23と、回転リール23の回転を開始させるためのスタートスイッチ54と、回転リール23の回転を停止させるためのストップスイッチ55と、回転リール23に付されている図柄を外部から視認可能にするための図柄表示窓32と、投入されたメダルを貯留し、かつ、貯留したメダルをメダル排出口5aから排出するためのホッパー5と、メダル排出口5aから排出されたメダルを払出口41へ移送するための払出通路6aと、回転リール23に付されている図柄の図柄表示窓32を介しての視認を可能にしたり、不可能にしたりするための遮蔽部62と、スロットマシンSの動作を制御する制御装置200とを備え、制御装置200は、図柄の組み合わせにより構成される当選役に当選したか否かを抽選するための当選抽選手段280と、全ての回転リール23の回転が停止した際の図柄の配列に基づいて、当選役に入賞したか否かの判定を行うための入賞判定手段268と、入賞判定手段268の判定結果に基づいて、メダル排出口5aからメダルを排出させるようにホッパー5の動作を制御するホッパー制御手段300と、回転リール23の回転の開始から、ストップスイッチ55が操作されるまでの時間を計測する回転リール時間計測手段232と、回転リール時間計測手段232の計測した時間が所定の時間に達したか否か判定する回転リール時間判定手段234と、回転リール時間判定手段234により、回転リール時間計測手段232の計測した時間が所定の時間に達したと判定されたときに、回転リール23の回転を停止させるための自動停止手段230と、自動停止手段230が回転リール23の回転を停止させたとき、回転リール23に付されている図柄の図柄表示窓32を介しての視認が不可能になるように、遮蔽部62の動作を制御する遮蔽部制御手段240と、自動停止手段230が回転リール23の回転を停止させたときは、入賞判定手段268による判定結果を無効にする入賞判定無効手段と、を備えていることを特徴とする。
【００３８】
ここで、「スロットマシンS」、「回転リール23」、「スタートスイッチ54」、「ストップスイッチ55」、「図柄表示窓32」、「ホッパー5」、「払出通路6a」、「遮蔽部62」、「制御装置200」、「当選抽選手段280」、「入賞判定手段268」、「ホッパー制御手段300」、「回転リール時間計測手段232」、「回転リール時間判定手段234」、「自動停止手段230」及び「遮蔽部制御手段240」については、上記請求項１記載の「スロットマシンS」、「回転リール23」、「スタートスイッチ54」、「ストップスイッチ55」、「図柄表示窓32」、「ホッパー5」、「払出通路6a」、「遮蔽部62」、「制御装置200」、「当選抽選手段280」、「入賞判定手段268」、「ホッパー制御手段300」、「回転リール時間計測手段232」、「回転リール時間判定手段234」、「自動停止手段230」及び「遮蔽部制御手段240」と同様である。
【００３９】
また、入賞判定無効手段は、自動停止手段230が回転リール23の回転を停止させたときは、入賞判定手段268による判定結果を無効にするためのものである。
具体的には、例えば、自動停止手段230が回転リール23を停止させた場合に、入賞判定無効手段へ向けても回転停止信号を出力するように自動停止手段230を形成する。そして、入賞判定無効手段を、回転停止信号を受信すると、入賞判定手段268へ向けて、入賞判定無効信号を出力するように形成する。そして、入賞判定手段268を、入賞判定無効手段から入賞判定手段268へ向けて出力された入賞判定無効信号を受信すると、その後に、全ての回転リール23の回転が停止して、入賞の判定が行われても、その入賞判定の結果を無効にするよう形成する。
【００４０】
（請求項４）
（特徴点）
請求項４記載の発明は、請求項１、２又は３記載の発明を限定したものであって、次の点を特徴とする。
すなわち、請求項４記載の発明における遮蔽部62は、回転リール23に付されている図柄の図柄表示窓32を介しての視認を不可能にしたとき、回転リール23の回転が自動停止したことを表示するように形成されていることを特徴とする。
具体的には、例えば、遮蔽部62を、上述のように、シャッター等の部材を用いて、図柄表示窓32の前方を塞ぐように形成した場合、遮蔽部62の前面に「停止中」等の回転リール23の回転が自動停止したことを示す文字等を表示するように形成することができる。また、回転リール23の回転が自動停止したことを表示すれば良いので、回転リール23の回転が自動停止したことを認識できれば、どのような文字を用いて表示しても良いし、図柄等を表示するようにしても良い。
【００４１】
また、遮蔽部62に、液晶パネルや、エレクトロルミネッサンス表示装置を用いた場合、遮蔽部62は、回転リール23に付されている図柄の図柄表示窓32を介しての視認を不可能にしたとき、すなわち、自動停止手段230が回転リール23の回転を停止させたとき、「停止中」の文字や、その他の回転リール23の回転が自動停止したことを認識できる文字や、回転リール23の回転が自動停止したことを認識できる図柄等を前面に表示するように形成することができる。
（請求項５）
（特徴点）
請求項５記載の発明は、請求項１、２、３又は４記載の発明を限定したものであって、次の点を特徴とする。
【００４２】
すなわち、請求項５記載の発明における遮蔽部62は、液晶パネルを用いて構成されていることを特徴とする。
ここで、遮蔽部62を構成する液晶パネルとして、所定の文字や所定の図柄の表示が可能なものを用いることができる。
（請求項６）
（特徴点）
請求項６記載の発明は、請求項１、２、３、４又は５記載の発明を限定したものであって、次の点を特徴とする。
【００４３】
すなわち、請求項６記載の発明における遮蔽部制御手段240は、自動停止手段230が回転リール23の回転を停止させるときには、回転リール23の回転が停止する前に、回転リール23に付されている図柄の図柄表示窓32を介しての視認を不可能にするように遮蔽部62の動作を制御し、かつ、その後、スタートスイッチ54が操作されることにより、回転リール23の回転が開始するときには、回転リール23の回転が開始した後に、回転リール23に付されている図柄の図柄表示窓32を介しての視認を可能にするように、遮蔽部62の動作を制御するように形成されていることを特徴とする。
ここで、「遮蔽部制御手段240」は、自動停止手段230が回転リール23の回転を停止させるときには、回転リール23の回転が停止する前に、回転リール23に付されている図柄の図柄表示窓32を介しての視認を不可能にするように遮蔽部62の動作を制御する。
【００４４】
具体的には、例えば、回転停止制御手段266を、自動停止手段230から出力された回転停止信号を受信してから２秒を経過後に全ての回転リール23の回転を停止させるように形成する。そして、遮蔽部制御手段240を自動停止手段230から出力された回転停止信号を受信すると、直ちに、遮蔽部62が回転リール23に付されている図柄の図柄表示窓32を介しての視認が不可能にするように遮蔽装置60を制御するように形成する。
また、遮蔽部制御手段240は、回転リール23に付されている図柄の図柄表示窓32を介しての視認を不可能にするように遮蔽部62の動作を制御するした後、スタートスイッチ54が操作されることにより、回転リール23の回転が開始するときには、回転リール23の回転が開始した後に、回転リール23に付されている図柄の図柄表示窓32を介しての視認を可能にするように、遮蔽部62の動作を制御する。
【００４５】
具体的には、例えば、時間を計測するタイマーを備えるように、遮蔽部制御手段240を形成する。また、遮蔽部制御手段240に備えられているタイマーを、遮蔽部制御手段240が回転リール23に付されている図柄の図柄表示窓32を介しての視認を不可能にするように遮蔽部62の動作を制御した後であって、その後に、スタートスイッチ54が押されてからの時間を計測するように形成する。また、遮蔽部制御手段240を、遮蔽部制御手段240が回転リール23に付されている図柄の図柄表示窓32を介しての視認を不可能にするように遮蔽部62の動作を制御した後であって、スタートスイッチ54が押されてからの時間を計測し、計測時間が２秒に達すると、遮蔽解除信号を出力し、回転リール23の回転が開始した後に、回転リール23に付されている図柄の図柄表示窓32を介しての視認を可能にするように、遮蔽部62の動作を制御する。
【発明の効果】
【００４６】
（請求項１の効果）
請求項１記載の発明によれば次のような効果を奏する。
すなわち、請求項１記載の発明は、スロットマシンに、メダル排出口から排出されたメダルを払出口へ移送するための払出通路と、メダル排出口から払出口へ移送されるメダルを払出通路の途中で回収するためのメダル回収部と、回転リールに付されている図柄の図柄表示窓を介しての視認を可能にしたり、不可能にしたりするための遮蔽部とを備え、スロットマシンの制御装置に、回転リールの回転の開始から、ストップスイッチが操作されるまでの時間を計測する回転リール時間計測手段と、回転リール時間計測手段の計測した時間が所定の時間に達したか否か判定する回転リール時間判定手段と、回転リール時間判定手段により、回転リール時間計測手段の計測した時間が所定の時間に達したと判定されたときに、回転リールの回転を停止させるための自動停止手段と、自動停止手段が回転リールの回転を停止させたとき、回転リールに付されている図柄の図柄表示窓を介しての視認が不可能になるように、遮蔽部の動作を制御する遮蔽部制御手段と、自動停止手段が回転リールの回転を停止させた場合であって、少なくともホッパー制御手段が入賞判定手段の判定結果に基づいてメダル排出口からメダルを排出させるようにホッパーの動作を制御したときには、メダルを回収するようにメダル回収部の動作を制御するメダル回収部制御手段とを備えた。
【００４７】
これにより、回転リールの回転の自動停止させた場合には、遊技の動作を制御する制御装置等に、過度の処理負担をかけることなく、入賞時メダルの払い出しを行わないようにできるとともに、遊技の結果である回転リール停止時の表示態様が入賞の態様であっても、遊技者からその表示を見えないようすることにより、遊技者からの不満を回避することができるスロットマシンを提供することができる。
（請求項２の効果）
請求項２記載の発明によれば次のような効果を奏する。
すなわち、請求項２記載の発明は、スロットマシンに、メダル排出口から排出されたメダルを払出口へ移送するための払出通路と、回転リールに付されている図柄の図柄表示窓を介しての視認を可能にしたり、不可能にしたりするための遮蔽部とを備え、スロットマシンの制御装置に、回転リールの回転の開始から、ストップスイッチが操作されるまでの時間を計測する回転リール時間計測手段と、回転リール時間計測手段の計測した時間が所定の時間に達したか否か判定する回転リール時間判定手段と、回転リール時間判定手段により、回転リール時間計測手段の計測した時間が所定の時間に達したと判定されたときに、回転リールの回転を停止させるための自動停止手段と、自動停止手段が回転リールの回転を停止させたとき、回転リールに付されている図柄の図柄表示窓を介しての視認が不可能になるように、遮蔽部の動作を制御する遮蔽部制御手段と、自動停止手段が回転リールの回転を停止させたときは、入賞判定手段による入賞判定を行わせないようにする入賞判定停止手段とを備えた。
【００４８】
これにより、回転リールの回転を自動停止させた場合には、遊技の動作を制御する制御装置に過度の処理負担をかけることなく、入賞時のメダルの払い出しを行わないようにできるとともに、遊技の結果である回転リール停止時の表示態様が入賞の態様であっても、遊技者からその表示態様を見えないようにすることにより、遊技者からの不満を回避することができるスロットマシンを提供することができる。
（請求項３の効果）
請求項３記載の発明によれば次のような効果を奏する。
すなわち、請求項３記載の発明は、スロットマシンに、メダル排出口から排出されたメダルを払出口へ移送するための払出通路と、回転リールに付されている図柄の図柄表示窓を介しての視認を可能にしたり、不可能にしたりするための遮蔽部とを備え、スロットマシンの制御装置に、回転リールの回転の開始から、ストップスイッチが操作されるまでの時間を計測する回転リール時間計測手段と、回転リール時間計測手段の計測した時間が所定の時間に達したか否か判定する回転リール時間判定手段と、回転リール時間判定手段により、回転リール時間計測手段の計測した時間が所定の時間に達したと判定されたときに、回転リールの回転を停止させるための自動停止手段と、自動停止手段が回転リールの回転を停止させたとき、回転リールに付されている図柄の図柄表示窓を介しての視認が不可能になるように、遮蔽部の動作を制御する遮蔽部制御手段と、自動停止手段が回転リールの回転を停止させたときは、入賞判定手段による判定結果を無効にする入賞判定無効手段とを備えた。
【００４９】
これにより、回転リールの回転を自動停止させた場合には、遊技の動作を制御する制御装置に過度の処理負担をかけることなく、入賞時のメダルの払い出しを行わないようにできるとともに、遊技の結果である回転リール停止時の表示態様が入賞の態様であっても、遊技者からその表示態様を見えないようにすることができ、遊技者からの不満を回避することができるスロットマシンを提供することができる。
（請求項４の効果）
請求項４記載の発明によれば、上記した請求項１、２又は３記載の発明の効果に加えて、次のような効果を有する。
【００５０】
すなわち、請求項４記載の発明は、遮蔽部を、回転リールに付されている図柄の図柄表示窓を介しての視認を不可能にしたとき、回転リールの回転が自動停止したことを表示するように形成した。
これにより、回転リールが自動停止したときには、その旨を遊技者に報知することができるスロットマシンを提供することができる。
（請求項５の効果）
請求項５記載の発明によれば、上記した請求項１、２、３又は４記載の発明の効果に加えて、次のような効果を有する。
【００５１】
すなわち、請求項５記載の発明は、遮蔽部を、液晶パネルを用いて構成した。
これにより、回転リールが自動停止したときには、その旨を遊技者に報知することができるととに、液晶パネルに文字や図柄を表示することによる演出効果を期待できるスロットマシンを提供することができる。
（請求項６の効果）
請求項６記載の発明によれば、上記した請求項１、２、３、４又は５記載の発明の効果に加えて、次のような効果を有する。
すなわち、請求項６記載の発明は、遮蔽部制御手段を、自動停止手段が回転リールの回転を停止させるときには、回転リールの回転が停止する前に、回転リールに付されている図柄の図柄表示窓を介しての視認を不可能にするように遮蔽部の動作を制御し、かつ、その後、スタートスイッチが操作されることにより、回転リールの回転が開始するときには、回転リールの回転が開始した後に、回転リールに付されている図柄の図柄表示窓を介しての視認を可能にするように、遮蔽部の動作を制御するようにした。
【００５２】
これにより、回転リールの回転を自動停止させた場合に、回転リールの停止表示図柄を、確実に遊技者が視認することができないようにすることができるスロットマシンを提供することができる。
【発明を実施するための最良の形態】
【００５３】
（第１の実施の形態）
（図面の説明）
以下、第１の実施の形態にかかるスロットマシンSについて図面を用いて説明する。
図１は、第１の実施の形態にかかるスロットマシンSの外観斜視図である。図２は、第１の実施の形態にかかるスロットマシンSの外部及び内部示す斜視図である。図３は、第１の実施の形態にかかるスロットマシンSの断面図である。図４は、第１の実施の形態にかかるスロットマシンSのメダル回収部80を示す拡大図である。図５は、第１の実施の形態にかかるスロットマシンSの上側付近の外部及び内部を示す斜視図である。図６は、第１の実施の形態にかかるスロットマシンSの入力、制御及び出力を示すブロック図である。図７は、第１の実施の形態にかかる特別遊技制御手段270を示すブロック図である。図８は、第１の実施の形態にかかる当選抽選手段280を示すブロック図である。図９は、第１の実施の形態にかかるスロットマシンSの遊技動作を示すフロー図である。図１０は、第１の実施の形態にかかる変形例であるスロットマシンSの正面図である。図１１は、第１の実施の形態にかかる変形例であるスロットマシンSの正面図である。図１２は、第１の実施の形態にかかる変形例であるスロットマシンSの正面図である。
【００５４】
なお、ここで、「前面」や「前方向」とは、遊技者等が、スロットマシンSの正面側にスロットマシンSの方を向いて位置している場合のかかる遊技者から見たときの奥から手前への方向を意味する。したがって、前方向とは、スロットマシンSの奥から正面へ向かう方向を意味する。また、「背面」や「後方向」とは、遊技者等が、スロットマシンSの正面側にスロットマシンSの方を向いて位置している場合のかかる遊技者から見たときの手前から奥への方向を意味する。したがって、後方向とは、スロットマシンSの正面から奥（後ろ）へ向かう方向を意味する。また、「左方向」や「右方向」等の左右方向も、かかるスロットマシンSの前面の方を向いて位置している者から見た場合の右方向や、左方向を意味する。
【００５５】
（スロットマシンS）
本実施の形態にかかるスロットマシンSは、メダルの投入を遊技の開始条件とし、遊技の結果に基づいて、所定の数量のメダルが払出口41から払出されるように形成されているものである。
また、本実施の形態にかかるスロットマシンSは、図１及び図２に示すように正面側に正面開口部11を有する四角形状の筐体ユニット1を備えている。また、スロットマシンSは、筐体ユニット1の正面開口部11を開閉自在に塞ぐ前扉3とを備えている。また、この前扉3は、筐体ユニット1の正面開口部の上側部分を開閉自在に塞ぐ上扉30と、筐体ユニット1の正面開口部の下側部分を開閉自在に塞ぐ下扉40とから構成されている。
【００５６】
上扉30は、筐体ユニット1の開口上部13を開閉自在に塞ぐためのものである。この上扉30は、板状の扉であり、筐体ユニット1に回動可能かつロック可能に形成されている。また、図１及び図２に示すように、この上扉30のほぼ中央部には、前記回転リール23の図柄を正面側から見ることができる四角窓状の図柄表示窓32が形成されている。また、この上扉30の正面上部には、ランプ33が設けられている。また、上扉30の裏面上部の左右には、種々の音を出力するためのスピーカ49が設けられている。
また、下扉40は、筐体ユニット1の開口下部14を開閉自在に塞ぐためのものである。また、図１及び図２に示すように、下扉40は、上扉30よりも幅厚の扉であり、筐体ユニット1の側板に回動可能かつロック可能に形成されている。また、この下扉40の上面は、閉扉時には、上扉30よりも前側に突出するように形成されている。
【００５７】
また、この下扉40の下部には、遊技の結果に基づいて、所定の数量のメダル払い出すための払出口41と、ホッパー5から払い出されたメダルを貯留するための下皿43とが形成されている。
また、下扉40の上面右側には、メダル投入口42が設けられ、また、下扉40の上面左側には、ベットスイッチ52が設けられ、また、下扉40の正面上部には、全ての回転リール23の回転を開始させるためのスタートスイッチ54と、各回転リール23にそれぞれ対応した設けられた３個のストップスイッチ55とが設けられている。また、ベットスイッチ52の左側近傍には精算スイッチ53が設けられている。
【００５８】
また、図示はしないが、メダル投入口42の下方であって、下扉40の裏側（筐体ユニット1の内側）には、メダルセレクターが設けられている。また、図示はしないが、メダルセレクターは、メダル投入口42から投入されたメダルを検知するための投入検知手段175を備えている。
また、スロットマシンS内部には、リールユニット20が備えられている。また、リールユニット20は、図示はしないが、筐体ユニット1内の中板の上に載置され、開口上部13内部に収納されるものである。なお、リールユニット20は、筐体ユニット1の筐体天板に吊り下げられるような形で支持される構造に形成することで、中板の上方に収納するようにしてもよい。また、リールユニット20は、複数の駆動モータを有し、各駆動モータの回転軸には、各々、周囲に複数の図柄が付されている回転リール23が固定されている。具体的には、リールユニット20は、三個のモータと、各々のモータの出力軸に固定された三個の回転リール23とから構成されている。
【００５９】
そして、各回転リール23は、合成樹脂からなる回転ドラムと、この回転ドラムの周囲に貼付されるテープ状のリールテープを備えている。このリールテープの外周面には、複数個（例えば２１個）の図柄が表示されている。すなわち、回転リール23の周囲には、複数の図柄が付されている。そして、モータによる回転を開始した後、スタートインデックスを検知してからの回転角度を認識することで、現在位置を特定し、その後、所定角度で停止させる停止制御が行われる。
そして、図柄表示窓32は、三個の回転リール23の図柄を、外部から視認可能に形成されている。
【００６０】
また、回転リール23は、図１の向かって左端側に位置する左側回転リール23aと、図１の向かって右端側に位置する右側回転リール23cと、この左側回転リール23a及び右側回転リール23cの間に位置する中央回転リール23bとを備えている。そして、スロットマシンSの前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、メダルの投入枚数が、１枚の場合、五本の入賞ラインのうち、横中央の一本が入賞有効ラインとなる。そして、メダルの投入枚数が、２本の場合、五本の入賞ラインのうち、横方向の三本が入賞有効ラインとなる。そして、メダルの投入枚数が、３枚の場合、対角線も含めた五本の入賞ラインの全部が、入賞有効ラインとなる。
【００６１】
また、リールユニット20には、遮蔽装置60が取り付けられている。遮蔽装置60は、遮蔽部62を備えている。遮蔽部62は、回転リール23に付されている図柄の図柄表示窓32を介しての視認を可能にしたり不可能にしたりするためのものである。
また、スロットマシンSの内部には、メダル投入口42から投入されて投入検知手段175により投入が検知されたメダルを収納する収納部が備えられている。また、本実施の形態におけるスロットマシンSでは、収納部として、ホッパー5と予備タンク8とを備えている。また、ホッパー5は、筐体ユニット1の底板15の上面に固定されている。
また、ホッパー5は、投入されたメダルを貯留し、かつ、貯留するためのものである。また、ホッパー5には、メダルを排出するためのメダル排出口5aが形成されている。また、筐体ユニット1の底面の上面であって、ホッパー5の右方には、予備タンク8が固定されている。また、予備タンク8は、オーバーフロー等により、ホッパー5内に収納されないメダルを収納するためのものである。
【００６２】
また、図２ないし図４に示すように、ホッパー5と下扉40裏面との間には、メダル排出口5aから排出されたメダルを払出口41へ移送するための払出通路部材6が取り付けられている。また、払出通路部材6は筒状に形成されており、内部にメダルの通過が可能な払出通路6aが形成されている。また、払出通路部材6の上端はホッパー5のメダル排出口5aに連設されている。また、払出通路部材6の下端は下扉40に形成されている払出口41に連設されている。また、払出通路部材6は、上端から下端に向かうにしたがって、高さが低くなるように傾斜して取り付けられている。これにより、払出通路6aは、通常、メダル排出口5aから排出されたメダルを、払出口41へ向けて移送することができるように形成されている。また、払出通路6aの途中には、メダル回収部80が備えられている。また、メダル回収部80は、メダル排出口5aから排出されたメダルを払出通路6aの途中で回収するためのものである。
【００６３】
また、スロットマシンSの内部には、スロットマシンSの全体の動作を制御するための制御装置200が備えられている。
（制御装置200）
制御装置200は、スロットマシンSの遊技を制御するためのものである。
制御装置200は、図示はしないが、ＣＰＵを中心に構成され、ＲＯＭ、ＲＡＭ、I／Ｏ等を備えている。そして、ＣＰＵがＲＯＭに記憶されたプログラムを読み込むことで、次の（１）及び（２）の装置を有するものである。
（１）遊技制御装置210
（２）演出制御装置220
制御装置200には、図６に示すように、スタートスイッチ54及びストップスイッチ55の操作により、回転リール23の回転及び停止を制御するための遊技制御装置210と、演出を行うためのスピーカ49やランプ33を制御するための演出制御装置220とが備えられている。また、ＣＰＵは、遊技制御装置210及び演出制御装置220に、それぞれ一個ずつ配置されているが、特にこれに限定されるものではなく、一個のＣＰＵで制御しても良く、あるいは、二個以上のＣＰＵで制御するようにしても良いものである。
【００６４】
また、ＣＰＵ、ＲＯＭ、ＲＡＭ及びＩ／Ｏ等は一体化されてワンチップを構成しても良いものである。
（遊技制御装置210）
遊技制御装置210は、スタートスイッチ54及びストップスイッチ55の操作による回転リール23の回転及び停止の制御等をするためのものである。そして、この遊技制御装置210は、次の（１）ないし（１１）の手段として機能するものである。
（１）通常遊技制御手段260
（２）特別遊技制御手段270
（３）当選抽選手段280
（４）回転停止制御手段266
（５）入賞判定手段268
（６）回転リール時間計測手段232
（７）回転リール時間判定手段234
（８）自動停止手段230
（９）遮蔽部制御手段240
（１０）メダル回収部制御手段250
（１１）ホッパー制御手段300
また、遊技制御装置210としては、上記した（１）ないし（１１）の手段に限定されるものではなく、他の手段を含んでいても良い。
【００６５】
（演出制御装置220）
演出制御装置220は、主として演出データに関するものであって、演出に対応したスピーカ49やランプ33等の制御をするためのものである。そして、遊技制御装置210の内部データの信頼性を確保するため、遊技制御装置210と演出制御装置220との間での信号のやりとりは、遊技制御装置210から演出制御装置220への一方通行となるように設定されている。すなわち、遊技制御装置210から、演出制御装置220へ向かって出力信号のみが送出され、この演出制御装置220から遊技制御装置210へ向かっていかなる信号も送出されないように設定されている。これにより、当選確率等の抽選に関するデータを有する遊技制御装置210のデータ保護を容易にしている。
【００６６】
そして、この演出制御装置220は、次の（１）ないし（３）の手段として機能する。
（１）ランプ制御手段310
（２）スピーカ制御手段320
（３）演出抽選手段330
また、演出制御装置220としては、上記した（１）ないし（３）の手段に限定されるものではなく、他の手段を含んでも良い。
また、ここで、スロットマシンSは、図示はしないが、遊技制御装置210を配置した主基板と演出制御装置220を配置したサブ基板とを設けている。このため、サブ基板を交換することにより、演出内容の一部だけ異なる姉妹機を簡単に製造することができる。また、サブ基板のみを容量や性能が異なる別のものに簡単に交換することができるため、演出内容だけを容易に変更することができる。
【００６７】
また、スロットマシンSに使用する制御プログラムを開発するにあたって、主基板とサブ基板とに分離されていることにより、開発中のバグが、主基板側に存在するのか、サブ基板側に存在するのかの判断を容易に行うことができ、制御プログラム全体を見直さなければならなくなる可能性が低くなり、デバッグを容易に行うことができ、制御プログラムの開発期間の短縮を図ることができる。
また、遊技の制御を行う主基板と演出データ等を有するサブ基板とを有しているため、主基板は外部からの操作や交換や異物の混入が難しい密閉式の容器内に堅固に固定し、サブ基板は外部からの交換が容易な容器内に簡便な手段により着脱可能に取り付けることが可能になる。これにより、演出データ等は、簡単に他ものに交換することができるが、当選率等の重要なデータは外部から操作できないような構造のものに設計することが容易になる。
【００６８】
また、制御装置200の入力側には、主として制御装置200に信号を送る入力手段が配置され、制御装置200の出力側には、主として制御装置200からの信号が送り込まれる出力手段が配置されている。
（入力手段）
制御装置200の入力側には、図６に示すように、次のパーツが接続されている。
（１）ベットスイッチ52
（２）精算スイッチ53
（３）スタートスイッチ54
（４）ストップスイッチ55
（５）投入検知手段175
なお、入力手段としては、上記した（１）ないし（５）のパーツに限定されるものではない。
【００６９】
（ベットスイッチ52）
ベットスイッチ52は、図１に示すように、回転リール23の下方に位置するスイッチであって、クレジットされているメダルを減じて、投入に代えるためのものである。
（精算スイッチ53）
精算スイッチ53は、図１に示すように、回転リール23の左斜め下方に位置するスイッチであって、貯留されているメダルを払い出すためのものである。
（スタートスイッチ54）
スタートスイッチ54は、全ての回転リール23の回転を開始させるためものである。また、スタートスイッチ54は、図１に示すように、回転リール23の左斜め下方に位置するレバーであって、メダルの投入を条件に、又は、「再遊技（リプレイ、Ｒｅｐｌａｙ）」時には前遊技から所定時間経過を条件に、リールユニット20の駆動、すなわち、全ての回転リール23の回転を開始させるためのものである。また、スタートスイッチ54を操作すると、スタートスイッチ54は、回転開始信号をリールユニット20、当選抽選手段280及びメダル回収部制御手段250へ向けて出力する。
【００７０】
なお、ここで、「再遊技（リプレイ、Ｒｅｐｌａｙ）」とは、当選抽選手段280の抽選により、「再遊技（リプレイ、Ｒｅｐｌａｙ）」のフラグが成立し、「再遊技（リプレイ、Ｒｅｐｌａｙ）」の図柄が入賞有効ライン上に揃うことにより、次の遊技において、メダルを新たに投入することなく、再度、遊技を行うことができるものである。
（ストップスイッチ55）
ストップスイッチ55は、リールユニット20の駆動の停止、すなわち、ストップスイッチ55に対応して設けられた各回転リール23の回転をそれぞれ停止させるためのものである。
具体的には、ストップスイッチ55は、図１に示すように、各回転リール23に対応した三個のスイッチから構成され、対応する各回転リール23の下方に１個ずつ配置されている。
【００７１】
また、各ストップスイッチ55を操作すると、それぞれ回転停止制御手段266へ向けて回転リール23を停止させるための回転停止信号を出力することにより、上記した各ストップスイッチ55に対応した回転リール23を停止させている。
また、ストップスイッチ55には、押ボタン式のスイッチを用いており、ストップスイッチ55の操作とは、ストップスイッチ55である押しボタン式のスイッチを押すことである。
（投入検知手段175）
投入検知手段175は、メダル投入口42に投入されたメダルを検知するためのものである。また、投入検知手段175は、メダルセレクターに設けられているものである。
【００７２】
また、投入検知手段175は、メダルの移動によって生じる光の遮断を検知することによりメダルの投入を検知する光学式センサーを用いている。また、投入検知手段175としての光学式センサーは、メダルの進行方向に沿って並列に設けられた２個のフォトセンサーから構成されている。また、各フォトセンサーは、光を発する発光部と、発光部から発せされた光を受光する受光部を備えている。また、各フォトセンサーは、メダルセレクターに設けられたメダルが通過する通路の一方側の位置に発光部を備え、メダルが通過する通路を挟んだ発光部の対向する他方側の位置に受光部を備えている。また、投入検知手段175を構成する各フォトセンサーは、発光部が発する光が、メダルにより遮光されることにより、メダルが通路を通過したことを検出する。また、投入検知手段175は、メダルの通過を検出すると、メダルを検知する毎に、メダル検知信号を遊技制御装置210へ出力する。
【００７３】
また、投入検知手段175は、２個のフォトセンサーをメダルの進行方向に沿って並列に設けている。これにより、メダルが通路を流下するときの、メダルが通過する通路の上流に設けたフォトセンサーと下流の設けたフォトセンサーとを遮る時間のズレにより、メダルが正常か否かの判定や、イタズラ等の異常の判定することができる。
（出力手段）
制御装置200の出力側には、図６に示すように、次のパーツが接続されている。
（１）リールユニット20
（２）ホッパー5
（３）スピーカ49
（４）ランプ33
（５）遮蔽装置60
（６）メダル回収部80
なお、出力手段としては、上記した（１）ないし（６）のパーツに限定されるものではない。
【００７４】
（リールユニット20）
リールユニット20は、図示はしないが、枠体に固定あるいは支持された三個のモータと、各々のモータの出力軸に固定された三個の回転リール23から構成されている。そして、各回転リール23は、合成樹脂からなる回転ドラムと、この回転ドラムの周囲に貼付されるテープ状のリールテープを備えている。このリールテープの外周面には、複数個（例えば２１個）の図柄が表示されている。そして、モータによる回転を開始した後、前記スタートインデックスを検知してからの回転角度を認識することで、現在位置を特定し、その後、所定角度で停止させることによって、停止制御が行われるものである。
【００７５】
また、リールユニット20は、スタートスイッチ54から出力される回転開始信号を受信すると、全ての回転リール23を回転させる。また、リールユニット20は、全ての回転リール23を回転させると、回転リール回転開始信号を回転リール時間計測手段232へ向けて出力する。また、リールユニット20は、回転停止制御手段266により、各回転リール23の回転の停止動作が制御されている。
（ホッパー5）
ホッパー5は、スロットマシンSに投入されたメダルを収納し、遊技の結果に基づいて、収納したメダルを遊技者に払い出すためのものである。また、ホッパー5の前面には、メダルを排出すための、メダル排出口5aが設けられている。
【００７６】
また、ホッパー5は、ホッパー制御手段300から出力された入賞結果駆動信号を受信することにより入賞判定手段268の判定結果に基づく所定の枚数のメダルをメダル排出口5aから排出する。
（スピーカ49）
スピーカ49は、電子音等により、遊技者に、入賞やスロットマシンSの異常等を知らせるものである。また、スピーカ49には、ダイナミック型のものを用いている。また、ダイナミック型のものに限られず、コンデンサ型等、他の型のスピーカを用いても良い。
また、スピーカ49は、入賞時における所定の入賞音を発生させる。スピーカ49の所定の入賞音は、演出制御装置220により制御され、実行されている。
【００７７】
（ランプ33）
ランプ33には、ＬＥＤを用いている。ランプ33は、ＬＥＤの点灯、消灯又は点滅することにより、遊技者に入賞等を知らせるものである。ＬＥＤの点灯、消灯又は点滅等の動作は、演出制御装置220により制御され、実行されている。
（遮蔽装置60）
遮蔽装置60は、図２及び図３に示すように、リールユニット20に取り付けられている。また、遮蔽装置60は、遮蔽部材61と、駆動装置（図示せず）とを備えている。また、遮蔽部材61は、板状に形成された遮蔽部62と、遮蔽部62の左右の両端から、リールユニット20に備えられている回転リール23の中心方向へ向けて立設されている２枚の側板64とを有している。
【００７８】
また、図示はしないが、駆動装置は、リールユニット20の左右の側部内にそれぞれ備えられている。すなわち、駆動装置は、合計２個備えられている。また、各駆動装置には、ステップモータを用いている。
また、図示はしないが、リールユニット20の左の側部内に設けられている駆動装置は、リールユニット20の左の側部から左方向へ向けて回転軸65が突出するように備えられている。
また、リールユニット20の右の側部内に設けられている駆動装置は、リールユニット20の右の側部から右方向へ向けて回転軸65が突出するように備えられている。
【００７９】
また、リールユニット20の左の側部内に設けられている駆動装置の回転軸65に、遮蔽部62の左端部に立設されている側板64の先端部付近を取り付け、かつ、リールユニット20の右の側部内に設けられている駆動装置の回転軸65に、遮蔽部62の右端部に立設されている側板64の先端部付近を取り付けることにより、遮蔽部材61は、２個の駆動装置の双方の回転軸65を中心にして、回転リール23の周りを回動可能に取り付けられている。
また、駆動装置に取り付けられた遮蔽部材61は、駆動装置の回転軸を中心として、遮蔽部62を前方へ移動（回動）させると、遮蔽部62が回転リール23の前方に位置し、回転リール23の図柄の図柄表示窓32を介しての視認が不可能になるように（停止表示図柄が見えなくなるように）形成されている。また、駆動装置に取り付けられた遮蔽部材61は、その位置から、駆動装置の回転軸を中心として、遮蔽部62を上方へ移動（回動）させると、遮蔽部62が回転リール23の上方に位置し、回転リール23の図柄の図柄表示窓32を介しての視認が可能になるように（停止表示図柄が見えるように）形成されている。
【００８０】
また、遮蔽装置60は、後述する遮蔽部制御手段240によりその動作が制御されている。
また、遮蔽装置60は、遮蔽部制御手段240から出力された遮蔽信号を受信すると、２個の駆動装置の双方を駆動させ、遮蔽部材61の遮蔽部62を、回転リール23の前方であって、回転リール23の図柄の図柄表示窓32を介しての視認が不可能になる位置（停止表示図柄が見えなくなる位置）に移動するように形成されている。
また、遮蔽装置60は、遮蔽部制御手段240から出力された遮蔽解除信号を受信すると、２個の駆動装置の双方を駆動させ、遮蔽部材61の遮蔽部62を、回転リール23の上方であって、回転リール23の図柄の図柄表示窓32を介しての視認が可能になる位置（停止表示図柄が見える位置）に移動するように形成されている。
【００８１】
また、遮蔽部62は液晶パネルにより構成されている。また、遮蔽装置60は、遮蔽部制御手段240から出力された遮蔽解除信号を受信すると、図５に示すように、前面に「停止中」の文字を遮蔽部62に表示するように形成されている。これにより、遮蔽部62は、回転リール23に付されている図柄の図柄表示窓32を介しての視認を不可能にしたとき、回転リール23の回転が自動停止したことを表示することができる。
また、遮蔽部62は液晶パネルにより構成されているので、遮蔽部62である液晶パネルに他の文字や図柄の表示を行い、液晶パネルを用いた演出等を行えるように形成することができる。
【００８２】
（メダル回収部80）
メダル回収部80は、図２及び図３に示すように、筐体ユニット1の内部であって、下扉40の後方に備えられている。また、メダル回収部80は、払出通路6aの途中に設けられている。また、メダル回収部80は、メダル排出口5aから払出口41へ移送されるメダルを払出通路6aの途中で回収するためのものである。
また、本実施の形態にかかるメダル回収部80は、図２ないし図４に示すように、振分部82と、回収通路部材7とを有している。また、回収通路部材7は筒状に形成されており、内部にメダルの通過が可能な回収通路7aが形成されている。
【００８３】
また、払出通路部材6における右側側板の所定の位置には、右側開口が形成されている。また、払出通路部材6に形成された右側開口はメダルの通過が可能に形成されている。また、回収通路部材7の左端は、払出通路部材6の右側側板に形成されている右側開口と連設するように形成されている。また、右側開口は、払出通路部材6の内部に形成されている払出通路6aと、回収通路部材7の内部に形成されている回収通路7aとを連通するように形成されている。
また、回収通路部材7の右端は、外部に開口する回収通路排出口7bが形成されている。また、回収通路部材7は、左端から右端に向かうにしたがって、高さが低くなるように傾斜して取り付けられている。また、回収通路部材7の右端に形成されている回収通路排出口7bの下方には、予備タンク8が備えられている。また、予備タンク8の上端における回収通路排出口7bの下方に相当する位置には、上方へ向けて開口している開口部が形成されている。これにより、回収通路7aは、メダルを左端から右端へ向けて移送可能に形成され、右端に形成されている回収通路排出口7bからメダルを排出するように形成されている。また、回収通路7aの右端に形成されている回収通路排出口7bから排出されたメダルは、予備タンク8の上端の開口部から予備タンク8内に至るように形成されている。すなわち、払出通路6aを移送されるメダルを、途中で予備タンク8へ戻すことにより回収することができるように形成されている。
【００８４】
また、振分部82は、払出通路6aを通過するメダルを、払出通路6aにおける振分部82よりも下方の通路、又は回収通路7aのいずれか一方へ導くためのものである。
また、振分部82は、払出停止板84と、通路開放板86と、払出停止板駆動装置85と、通路開放板駆動装置87とを備えている。
また、通路開放板86は、払出通路部材6に形成されている右側開口を塞ぐことが可能な形状に形成されている。また、通路開放板86は、通路開放板駆動装置87に取り付けられることにより動作が可能に形成されている。また、通路開放板駆動装置87には、ソレノイドを用いている。また、通路開放板駆動装置87であるソレノイドの駆動軸の先端付近に、通路開放板86の下端が取り付けられている。また、通路開放板駆動装置87であるソレノイドの駆動軸の先端付近に、通路開放板86の下端を取り付けることにより、通路開放板86が上下方向へ向けて移動可能になるように形成されている。また、通路開放板86を上方向へ向けて移動させたとき、払出通路部材6の右側側板に形成されている右側開口を塞ぐような位置に移動するように、通路開放板86と通路開放板駆動装置87とは形成されている。また、通路開放板86を下方向へ向けて移動させたとき、払出通路部材6に右側開口が開口し、払出通路6aと、回収通路7aとが連通するように形成されている。
【００８５】
また、払出通路部材6における左側側板の所定の位置には、払出通路6aと外部とを連通する左側開口が形成されている。また、払出停止板84は、左側開口を塞ぐことが可能な形状に形成されている。また、払出停止板84は、払出停止板駆動装置85に取り付けられることにより動作が可能に形成されている。また、払出停止板駆動装置85には、ステップモータを用いている。また、払出停止板駆動装置85であるステップモータの駆動軸に、払出停止板84の後端を取り付けることにより、払出停止板84が、払出停止板駆動装置85であるステップモータの駆動軸を中心に左右方向へ向けて回動可能に形成されている。また、払出停止板84を左方向へ向けて回動させたとき、払出通路6aの左側側板に形成されている左側開口を塞ぐような位置に移動するように、払出停止板84と払出停止板駆動装置85とは形成されている。また、払出停止板84を右方向へ向けて回動させたとき、払出通路6aを塞ぐとともに、払出通路6aを移動するメダルが、払出通路部材6に形成される右側開口を介して回収通路7aへ至るように、払出停止板84と払出停止板駆動装置85とは形成されている。
【００８６】
また、通路開放板駆動装置87及び払出停止板駆動装置85は、後述する、メダル回収部制御手段250によりその動作が制御されている。すなわち、メダル回収部80は、後述する、メダル回収部制御手段250によりその動作が制御されている。
メダル回収部80は、メダル回収部制御手段250からメダル回収部80へ向けて出力された回収信号を受信すると、通路開放板駆動装置87が通路開放板86を下方へ向けて移動させ払出通路部材6に右側開口が形成されるように通路開放板86の動作を制御し、かつ、払出停止板駆動装置85が払出停止板84を右方へ向けて回動させ、払出通路6aを移動するメダルを払出通路部材6に形成された右側開口を介して回収通路7aへ導くように払出停止板84の動作を制御する。
【００８７】
また、上述のように、通路開放板86を下方へ向けて移動し、払出停止板84を左方へ向けて回動させると、払出通路6aを移動するメダルを、回収通路7aへ導くようにすることができ、最終的に、払出通路6aを移動するメダルを、回収通路7aの回収通路排出口7bから排出し予備タンク8に至らせることができる。
これにより、メダル回収部80は、メダル排出口5aから排出されたメダルを、払出口41まで移送させず、払出通路6aの途中で回収することができる。
そして、メダル回収部80は、メダル回収部制御手段250からメダル回収部80へ向けて出力された回収解除信号を受信すると、通路開放板駆動装置87が通路開放板86を上方へ向けて移動させ、通路開放板86により払出通路部材6の右側開口が塞がれるように通路開放板86の動作を制御し、かつ、払出停止板駆動装置85が払出停止板84を左方へ向けて回動させ、払出停止板84により払出通路部材6の左側開口が塞がれるように払出停止板84の動作を制御する。これにより、払出通路6aは、メダル排出口5aから排出されたメダルを払出口41へ移送することができるように形成されている。
【００８８】
（通常遊技制御手段260）
通常遊技制御手段260は、スロットマシンSにおける一般的に行われる遊技を実施させるためのものである。
ここで、スロットマシンSにおける一般的に行われる遊技とは、以下の遊技をいう。すなわち、メダルの投入、ベットスイッチ52による投入、ストップスイッチ55による投入を条件に、又は、「再遊技（リプレイ、Ｒｅｐｌａｙ）」時には前遊技から所定時間経過を条件に、スタートスイッチ54を操作すると、リールユニット20が駆動され、三個の回転リール23が回転を開始する。
【００８９】
その後、ストップスイッチ55を三個全て操作し終わると、三個の回転リール23の回転が全て停止する。このとき、図柄表示窓32の入賞有効ライン上に、予め設定された図柄が停止すると、ホッパー5を介して所定枚数のメダルが払い出される。なお、メダルを払い出す代わりに、クレジットしても良い。
当選には、入賞した場合、メダルの払い出しを伴い、遊技者に利益を付与する小役当選（この小役当選が入賞した場合は小役入賞となる）と、入賞した場合、この小役当選よりもさらに大きな利益を遊技者に付与する特別当選（この特別当選が入賞した場合は特別入賞となる）と、入賞した場合、メダルの払い出しは無いが、メダルを新たに投入することなく再度の遊技を行うことができる再遊技（リプレイ、Ｒｅｐｌａｙ）当選（この再遊技当選が入賞した場合は再遊技入賞となる）とを備えている。そして、その抽選結果がいずれかの当選となった場合（内部入賞とも言う）、その当選に対応した当選フラグが成立する。そして、抽選結果が特別当選である場合に、特別当選の当選フラグが成立し、この特別当選の当選フラグ成立中に、リールユニット20の回転リール23における停止図柄の組み合わせが、予め定められた所定の図柄（例えば、入賞有効ライン上に「７」が三個揃うもの）と一致したことを条件に入賞し、遊技者に有利な特別遊技を行わせるように形成されている。
【００９０】
また、抽選により特別当選フラグが成立したが、回転リール23の停止図柄の組み合わせが当選図柄と一致していない場合、それ以後の遊技に当選フラグ成立の権利が持ち越されるように設定されている。なお、小役当選の当選フラグは、当選フラグが成立した遊技で入賞させられない場合、当選フラグ成立の権利の次の遊技への持ち越しはない。
また、いずれかの当選フラグが成立中に、対応する当選図柄を入賞有効ライン上に揃えることができるか否かは、回転リール23の回転速度が一定の場合、ストップスイッチ55のタイミングによるものである。具体的には、ストップスイッチ55を操作した後、１９０ｍｓ以内に回転リール23が停止するように設定されているため、ストップスイッチ55を操作した後、そのまま停止させるか、あるいは１９０ｍｓ以内に停止可能な回転リール23の円周上の引き込み可能図柄の中に、対応する当選図柄が含まれているような場合には、停止するまでの時間を遅らせて、回転リール23は入賞有効ライン上にその当選図柄を引き込んで停止する。一方、かかる引き込み可能図柄の中に、対応する当選図柄が含まれていないような場合には、入賞有効ライン上にその当選図柄を引き込んで停止することができない。
【００９１】
（特別遊技制御手段270）
特別遊技制御手段270は、当選抽選手段280の抽選結果に基づいて、遊技者に有利な特別遊技を行わせるためのものである。
特別遊技としては、大別すると、次のゲームがある。
（１）特定導入遊技（ＢＢゲーム）
（２）特定遊技（ＲＢゲーム）
（３）特定当選遊技（ＪＡＣゲーム）
なお、特定遊技、例えば「ＲＢゲーム」は、特定導入遊技、例えば「ＢＢゲーム」中に所定回数範囲内で行われるように設定されているが、特にこれに限定されるものではなく、「ＢＢゲーム」中で無い場合にも単独で行われるように設定しても良いものである。また、上記特定当選遊技、いわゆる「ＪＡＣゲーム」は、「ＲＢゲーム」中に行われるものである。また、特別遊技としては、上記した（１）ないし（３）の遊技に限定されるものではない。
【００９２】
具体的には、例えば、通常遊技において、図示しないが、例えば「７」等の図柄が入賞有効ライン上に三個揃うと、ホッパー5を介して、例えば１５枚のメダルが払い出される。このとき、「ＢＢゲーム」が開始される。
そして、特別遊技制御手段270は、図７に示すように、大別すると、次の手段を備える。
（１）特定導入遊技制御手段271（ＢＢゲーム制御手段）
（２）特定遊技制御手段272（ＲＢゲーム制御手段）
（特定導入遊技制御手段271）
特定導入遊技制御手段271は、「ＢＢゲーム」を制御するためのＢＢゲーム制御手段である。
【００９３】
また、「ＢＢゲーム」中の小役遊技では、通常遊技と同様の小役を含めた抽選が毎回行われるものである。ただ、この「ＢＢゲーム」中に「ＲＢゲーム」に移行するための当選図柄が入賞有効ライン上に揃った場合には、その後「ＲＢゲーム」に移行するものである。
なお、通常、「ＢＢゲーム」中は「ＲＢゲーム」への移行が、例えば最大３回行われることになっているために、１回目の「ＲＢゲーム」が終了した後は、また、前述したような通常遊技と同様な小役遊技の抽選及び制御が行われるものである。
そして、「ＢＢゲーム」では、「ＢＢゲーム」中の「ＲＢゲーム」が所定の最大回数、例えば３回か、あるいは「ＢＢゲーム」中の小役遊技が所定の最大回数、例えば最大３０回の終了により、「ＢＢゲーム」は終了するものである。もちろん、「ＢＢゲーム」中の「ＲＢゲーム」や、小役遊技の最大回数は、上述したものに限定されるものではなく、スロットマシンSの種類の違いにより、他の回数（例えば、「ＲＢゲーム」の最大回数が２回）に設定されているものでも良いものである。
【００９４】
（特定遊技制御手段272）
特定遊技制御手段272は、「ＲＢゲーム」を制御するためのものである。
具体的には、「ＲＢゲーム」に移行すると、メダルが１枚投入となり、回転リール23の所定の図柄が図柄表示窓32のセンターライン上に揃った場合に入賞となる特定当選遊技が行われるものである。そして、「ＲＢゲーム」では、当選するか否かの特定当選遊技が最大１２回行えるものであり、そのうち、最大８回の入賞が可能である。すなわち、最大８回の入賞となるか、あるいは最大１２回の特定当選遊技の終了により、「ＲＢゲーム」は終了するものである。
【００９５】
（当選抽選手段280）
当選抽選手段280は、図柄の組み合わせにより構成される当選役に当選したか否かを抽選するためのものである。また、当選抽選手段280は、予め定めた当選率に基づいて当選か否かの当選判定の抽選を行うものである。また、当選抽選手段280は、メダルが投入されていることを条件に、スタートスイッチ54の操作を契機に、当選か否かの抽選を行うためのものである。
当選抽選手段280は、スタートスイッチ54から当選抽選手段280へ向けて出力されるスタートスイッチ54の操作信号に基づき、スタートスイッチ54が所定の操作されたことを認識する。
【００９６】
そして、当選抽選手段280による抽選結果が当選である場合（内部入賞とも言う。）に当選フラグが成立し、この当選フラグ成立中に、回転リール23の停止図柄の組み合わせが予め定められた当選図柄と一致したことを条件に入賞し、遊技者にメダルの払い出しや、特別遊技等の利益が付与されるように設定されている。
当選抽選手段280は、図８に示すように、大別すると、次の手段を備える。
（１）乱数発生手段281
（２）乱数抽出手段282
（３）当選判定テーブル283
（４）判定手段284
なお、当選抽選手段280としては、上記した（１）ないし（４）に限定されるものではない。
【００９７】
（乱数発生手段281）
乱数発生手段281は、抽選用の乱数を所定の領域内（例えば十進法で０ないし６５５３５）で発生させるものである。
なお、ここで、「乱数発生手段281」には、ソフト乱数としての平均採中法（ｎ桁の数字を２乗して中央のｎ桁の数を取り出すことの繰り返しによる乱数発生方法）等で乱数を発生させることができるものや、一定範囲の数字を高速で１ずつ加算するカウンタを用いて構成するものがある。
（乱数抽出手段282）
乱数抽出手段282は、乱数発生手段281が発生する乱数を、所定の条件（例えば、スタートスイッチ54の操作）で抽出するものである。なお、この抽出した乱数を当選抽出用の抽出乱数データとする。
【００９８】
（当選判定テーブル283）
当選判定テーブル283は、乱数発生手段281がとる乱数の全領域中、各当選項目の当選領域からなる当選判定領域データを有するものである。また、これらの当選判定テーブル283には、特に図示しないが、各々の設定値ごとに、通常遊技用、特別遊技用等の複数の当選判定テーブル283が設けられていて、これらの当選判定テーブル283の当選確率を平均したものが、各設定値ごとの当選確率となる。
（判定手段284）
判定手段284は、乱数抽出手段282が抽出した抽出乱数データと、設定値に対応した当選判定テーブル283の当選判定領域データとを照合し、当該抽出乱数データが属する当選領域に対応する当選を決定するものである。
【００９９】
（回転停止制御手段266）
回転停止制御手段266は、各ストップスイッチ55の操作を契機に、当選抽選手段280の抽選結果に基づいて、操作されたストップスイッチ55に対応する回転リール23の回転を停止させるものである。
また、回転停止制御手段266は、各ストップスイッチ55の操作を契機に、当選抽選手段280の当選判定結果に基づいて、操作されたストップスイッチ55に対応する回転リール23の停止位置を制御するものである。すなわち、ストップスイッチ55から回転停止制御手段266へ向けて出力される回転リール23を停止させるための操作信号である回転停止信号を受信し、ストップスイッチ55を押した時点で所定位置に直ちに停止できる回転リール23の図柄を基準図柄として、基準図柄から回転方向に５コマ移動した時の図柄までの範囲で回転リール23を停止させるようになっており、この５コマの範囲内において、どのまで停止させるかを当選判定結果に基づいて決定するものである。
【０１００】
具体的には、当選判定の抽選において何らかの当選役が当選したときには、その当選に対応した図柄（当選図柄）が極力有効入賞ライン上に停止するように、それ以外の図柄が停止しないように制御を行い、前記５コマの範囲内で停止図柄を決定することとなる。何らかの当選役に当選したときには、当該当選に対応して当選フラグが成立するので、その成立した当選フラグの有無及び種類に従って、停止させるべき図柄を５コマの範囲内で極力停止するように制御（引き込み制御）し、停止させるべきでない図柄停止しないように制御（蹴飛ばし制御）するものである。
また、回転停止制御手段266は、自動停止手段230から回転停止制御手段266へ向けて出力された回転停止信号を受信すると、全ての回転リール23の回転を停止させる。
【０１０１】
また、回転停止制御手段266は、回転停止信号を受信してからの時間を計測するタイマーを備えている。そして、回転停止制御手段266は、回転停止信号を受信してからの時間が２秒に達すると、全ての回転リール23の回転を停止させるようにする。
（入賞判定手段268）
入賞判定手段268は、全ての回転リール23の回転が停止した際の図柄の配列に基づいて当選役に入賞したか否かの判定等を含む入賞処理を行わせるためのものである。すなわち、当選抽選手段280の抽選結果が所定の当選役に当選しており、当該当選にかかる当選図柄が所定の有効入賞ライン上に揃って停止している場合には、入賞信号を出力するように形成されている。なお、入賞信号には、当選役に対応したメダルの払い出し枚数に関する情報も含まれる。
【０１０２】
入賞信号は、種々の手段に出力される。例えば、入賞信号を受信した演出制御手段は入賞演出を実行する。また、例えば、再遊技入賞信号を受信した通常遊技制御手段260は、再遊技を実行する。また、例えば、特別入賞信号を受信した特別遊技制御手段270は、特別遊技を開始（実行）する。また、例えば、入賞信号を受信したホッパー制御手段300は、入賞信号に基づき、ホッパー5から所定の枚数のメダルを排出させる。
（回転リール時間計測手段232）
回転リール時間計測手段232は、回転リール23の回転の開始から、ストップスイッチ55が操作されるまでの時間を計測するものである。また、回転リール時間計測手段232は、各回転リール23に対応した三個のストップスイッチ55の全てが操作されるまでの時間を計測する。
【０１０３】
また、回転リール時間計測手段232は、時間の計測が可能なタイマーを備えている。また、回転リール時間計測手段232は、スロットマシンSの電源投入時等に、計測値が「０」になるように形成されている。そして、回転リール時間計測手段232は、リールユニット20から出力される回転リール回転開始信号を受信することにより、回転リール23が回転したことを認識し、時間の計測を開始する。
また、回転リール時間計測手段232は、全ての回転リール23の回転が停止した場合には、時間の計測を終了し、タイマーの計測がリセットされ、タイマーの計測値が「０」に戻るように形成されている。
【０１０４】
そして、回転リール時間計測手段232は、計測した時間のデータである計測時間テータを回転リール時間判定手段234へ向けて連続して出力するように形成されている。
（回転リール時間判定手段234）
回転リール時間判定手段234は、回転リール時間計測手段232が計測した時間が所定の時間に達したか否かを判定するためのものである。また、回転リール時間判定手段234は、回転リール時間計測手段232が出力した計測時間データを受信することにより、回転リール時間計測手段232が計測した時間を認識する。
そして、回転リール時間判定手段234は、回転リール時間計測手段232が計測した時間が所定の時間（例えば「３０秒」）に達したと判定したとき、停止判定信号を、後述する自動停止手段230へ向けて出力する。
【０１０５】
（自動停止手段230）
自動停止手段230は、回転リール時間判定手段234により、回転リール時間計測手段232の計測した時間が所定の時間に達したと判定されたとき、回転リール23の回転を停止させるものである。
また、自動停止手段230は、回転リール時間判定手段234から出力された停止判定信号を受信することにより、回転リール時間判定手段234により、回転リール時間計測手段232の計測した時間が所定の時間に達したことを認識する。
そして、自動停止手段230は、停止判定信号を受信すると回転停止制御手段266、遮蔽部制御手段240及びメダル回収部制御手段250へ向けて回転停止信号を出力するように形成されている。
【０１０６】
ここで、回転停止制御手段266は、自動停止手段230から出力された回転停止信号を受信すると、全て回転リール23を停止するように形成されている。
（遮蔽部制御手段240）
遮蔽部制御手段240は、遮蔽部62の動作を制御するためのものである。また、遮蔽部制御手段240は、自動停止手段230が回転リール23の回転を停止させたとき、回転リール23に付されている図柄の図柄表示窓32を介しての視認が不可能になるように、遮蔽部62の動作を制御する。
また、遮蔽部制御手段240は、自動停止手段230から出力された回転停止信号を受信することにより、自動停止手段230が回転リール23の回転を停止させたことを認識する。
【０１０７】
また、遮蔽部制御手段240は、自動停止手段230が回転リール23の回転を停止させるときには、回転リール23の回転が停止する前に、回転リール23に付されている図柄の図柄表示窓32を介しての視認を不可能にするように遮蔽部62の動作を制御する。
本実施の形態では、回転停止制御手段266は、自動停止手段230から出力された回転停止信号を受信してから２秒を経過後に全ての回転リール23の回転を停止させるように形成されている。したがって、遮蔽部制御手段240を自動停止手段230から出力された回転停止信号を受信すると、直ちに、遮蔽部62が回転リール23に付されている図柄の図柄表示窓32を介しての視認が不可能にするように遮蔽装置60を制御するように形成することにより、回転リール23の回転を停止させる前に、回転リール23に付されている図柄の図柄表示窓32を介しての視認を不可能にするように遮蔽部62の動作を制御することができる。
【０１０８】
また、遮蔽部制御手段240は、遮蔽部制御手段240を自動停止手段230から出力された回転停止信号を受信すると、直ちに、遮蔽信号を遮蔽装置60へ向けて出力するように形成されている。
ここで、遮蔽装置60は、遮蔽部制御手段240から出力された遮蔽信号を受信すると、回転リール23に付されている図柄の図柄表示窓32を介しての視認が不可能になるように、遮蔽部62の動作を制御するように形成されている。
また、遮蔽部制御手段240は、その後、スタートスイッチ54が操作されることにより、回転リール23の回転が開始するときには、回転リール23の回転が開始した後に、回転リール23に付されている図柄の図柄表示窓32を介しての視認を可能にするように、遮蔽部62の動作を制御する。
【０１０９】
また、本実施の形態では、遮蔽部制御手段240は、時間を計測するタイマーを備えるように形成されている。また、遮蔽部制御手段240に備えられているタイマーは、遮蔽部制御手段240が回転リール23に付されている図柄の図柄表示窓32を介しての視認を不可能にするように遮蔽部62の動作を制御した後であって、その後に、スタートスイッチ54が押されてからの時間を計測するように形成されている。そして、遮蔽部制御手段240は、スタートスイッチ54から出力された回転開始信号を受信することにより、スタートスイッチ54が押されたことを認識する。
また、遮蔽部制御手段240は、遮蔽部制御手段240が回転リール23に付されている図柄の図柄表示窓32を介しての視認を不可能にするように遮蔽部62の動作を制御した後であって、スタートスイッチ54が押されてからの時間を計測し、計測時間が２秒に達すると、遮蔽解除信号を、遮蔽装置60へ向けて出力するように形成されている。
【０１１０】
ここで、遮蔽装置60は、遮蔽部制御手段240から出力された遮蔽解除信号を受信すると、回転リール23に付されている図柄の図柄表示窓32を介しての視認が可能になるように、遮蔽部62の動作を制御するように形成されている。
（メダル回収部制御手段250）
メダル回収部制御手段250は、メダル回収部80の動作を制御するためのものである。また、メダル回収部制御手段250は、自動停止手段230が回転リール23の回転を停止させた場合であって、少なくともホッパー制御手段300が入賞判定手段268の判定結果に基づいてメダル排出口5aからメダルを排出させるようにホッパー5の動作を制御したときには、メダルを回収するようにメダル回収部80の動作を制御する。
【０１１１】
本実施の形態では、自動停止手段230が回転リール23の回転を停止させた場合であって、かつ、ホッパー制御手段300が入賞判定手段268の判定結果に基づいてメダル排出口5aからメダルを排出させるようにホッパー5の動作を制御したときに、メダルを回収するようにメダル回収部80の動作を制御している。
また、メダル回収部制御手段250は、自動停止手段230から出力された回転停止信号を受信することにより、自動停止手段230が回転リール23を停止させたことを認識する。
また、メダル回収部制御手段250は、後述するホッパー制御手段300から出力されたホッパー駆動信号を受信することにより、ホッパー制御手段300が入賞判定手段268の判定結果に基づいてメダル排出口5aからメダルを排出させるようにホッパー5の動作を制御したことを認識する。
【０１１２】
また、メダル回収部制御手段250は、自動停止手段230から出力された回転停止信号を受信し、かつ、ホッパー制御手段300から出力されたホッパー駆動信号を受信すると、メダル回収部80へ向けて回収信号を出力する。
ここで、メダル回収部80は、回収信号を受信すると、メダル排出口5aから排出されたメダルを、払出口41まで移送させず、払出通路6aの途中で回収することができるように形成されている。
また、メダル回収部制御手段250は、回収信号を出力したのち、スタートスイッチ54からメダル回収部制御手段250へ向けて出力された回転開始信号を受信すると、メダル回収部80へ向けて回収解除信号を出力する。
【０１１３】
ここで、メダル回収部80は、回収解除信号を受信すると、メダル排出口5aから排出されたメダルを、払出通路6aの途中で回収せず、払出口41まで移送するように形成されている。
なお、メダル回収部制御手段250は、自動停止手段230が回転リール23の回転を停止させた場合であって、少なくともホッパー制御手段300が入賞判定手段268の判定結果に基づいてメダル排出口5aからメダルを排出させるようにホッパー5の動作を制御したときには、メダルを回収するようにメダル回収部80の動作を制御すれば良いので、自動停止手段230が回転リール23の回転を停止させた場合であれば、ホッパー制御手段300が入賞判定手段268の判定結果に基づいてメダル排出口5aからメダルを排出させるようにホッパー5の動作を制御しないときでも、メダルを回収するようにメダル回収部80の動作を制御しても良い。
【０１１４】
（ホッパー制御手段300）
ホッパー制御手段300は、入賞判定手段268の判定結果に基づいて、メダル排出口5aからメダルを排出させるように、ホッパー5の動作を制御するものである。
また、ホッパー制御手段300は、入賞判定手段268から出力された入賞信号を受信することにより、入賞判定手段268の判定結果を認識することができる。また、ホッパー制御手段300は、ホッパー5へ向けて、入賞判定手段268の判定結果に基づく入賞結果駆動信号を、ホッパー5へ向けて出力するように形成されている。
ここで、ホッパー5は、ホッパー制御手段300から出力された入賞結果駆動信号を受信することにより入賞判定手段268の判定結果を認識し、入賞判定手段268の判定結果に基づく所定の枚数のメダルをメダル排出口5aから排出させる。
【０１１５】
また、ホッパー制御手段300は、ホッパー5のメダル排出口5aからメダルを排出させるように、ホッパー5の動作を制御する場合には、ホッパー駆動開始信号をメダル回収部制御手段250へ向けて出力するように形成されている。
（ランプ制御手段310）
上記ランプ制御手段310は、ランプ33の所定の演出パターンを、実行させるためのものである。ランプ制御手段310は、ランプ制御記憶手段及びランプ制御実行手段とを有している。
ランプ制御記録手段は、ランプ33の演出パターンを記憶するためのものである。具体的には、ランプ33の点灯や点滅、及びそれらの時間等の演出パターンが情報として記憶されている。
【０１１６】
ランプ制御実行手段は、ランプ制御記憶手段からの演出パターンの情報に基づいて、所定のランプ33の演出を行うためのものである。ランプ制御手段310により実行される演出パターンは、演出抽選手段330により決定されたものである。
（スピーカ制御手段320）
上記スピーカ制御手段320は、スピーカ49に所定の演出パターンを、実行させるためのものである。スピーカ制御手段320は、スピーカ制御記憶手段とスピーカ制御実行手段とを有している。
スピーカ制御記憶手段は、スピーカ49の演出パターンを記憶するためのものである。具体的には、スピーカ49から発生される電子音の音色やその音量や発生時間等の演出パターンが情報として記憶されている。
【０１１７】
スピーカ制御実行手段は、スピーカ制御記憶手段からの演出パターンの情報に基づいて、所定のスピーカ49の演出を行うためのものである。スピーカ制御手段320により実行される演出パターンは、演出抽選手段330により決定されたものである。
（演出抽選手段330）
演出抽選手段330は、予め定めた当選率に基づいて種々の演出を行うか否かの抽選を行うものである。この演出抽選手段330は、抽選により、いずれかの演出を行うか否かの決定と、演出を行う場合には、いずれの演出を行うかの演出の種類の決定とを行う。そして、演出抽選手段330による抽選結果が当選である場合には、決定された演出が、ランプ33、スピーカ49、画像表示装置38等を介して実行されるものである。
【０１１８】
（スロットマシンSの動作）
次に、上記構成を備えたスロットマシンSの通常の動作の概略について、図９に示したフローを用いて説明する。
先ず、図９に示すステップ１００において、遊技者より、所定枚数のメダルのメダル投入処理が行われる。このメダル投入処理には、実際にメダルが投入される場合と、スロットマシンS内部に予め貯留したメダル（クレジットメダル）が、ベットスイッチ52及びストップスイッチ55の操作に基づき投入される場合とのいずれも含まれる。そして、次のステップ１０１に進む。
【０１１９】
ステップ１０１において、遊技者より、スタートスイッチ54が操作されることにより、スタートスイッチ54がＯＮとなる。そして、次のステップ１０２に進む。
ステップ１０２において、当選抽選手段280により当選抽選処理が行われ、当選抽選処理の評価が決定される。そして、次のステップ１０３に進む。
ステップ１０３において、演出抽選手段330により演出抽選処理が行われ、演出抽選処理の評価が決定される。そして、次のステップ１０４に進む。
ステップ１０４において、回転リール23の回転が開始する。そして、次のステップ１０６に進む。
【０１２０】
ステップ１０６において、遮蔽部62が回転リール23の図柄を遮蔽しているか否かが判断される。具体的には、遮蔽部62が回転リール23に付されている図柄の図柄表示窓32を介しての視認を不可能な状態にしているか否かが判断される。遮蔽部62が回転リール23の図柄を遮蔽している場合には、次のステップ１０８に進む。
ステップ１０８において、遮蔽等解除処理が行われる。具体的には、遮蔽部制御手段240が、回転リール23に付されている図柄の図柄表示窓32を介しての視認を可能にするように、遮蔽部62の動作を制御する。そして、次のステップ１１０に進む。
ステップ１１０において、回転リール23の回転が開始してから時間が所定の時間に達したか否かが判断される。具体的には、回転リール時間計測手段232が計測した、回転リール23の回転が開始してからの時間が、所定の時間（３０秒）に達したか否かを回転リール時間判定手段234が判断する。そして、回転リール23の回転が開始してから時間が所定の時間に達した場合には、次のステップ１１２に進む。
【０１２１】
ステップ１１２において、図柄遮蔽処理が行われる。具体的には、遮蔽部制御手段240が、回転リール23に付されている図柄の図柄表示窓32を介しての視認を不可能にするように、遮蔽部62の動作を制御する。そして、次のステップ１１４に進む。
ステップ１１４において、回転リール自動停止処理が行われる。具体的には、自動停止手段230が、回転停止制御手段266へ向けて回転停止信号を出力し、回転リール23の回転を停止させる。そして、次にステップ１１６に進む。
ステップ１１６において、ストップスイッチ55が操作されることにより、ストップスイッチ55がＯＮとなる。そして、次のステップ１１８に進む。
【０１２２】
ステップ１１８において、ストップスイッチ55に対応した回転リール23の回転停止処理が行われる。そして、次のステップ１２０に進む。
ステップ１２０において、三個の回転リール23に対応するストップスイッチ55の操作が行われた否かが判定される。そして、三個の回転リール23に対応するストップスイッチ55の操作が行われたと判定された場合、次のステップ１２２に進む。
ステップ１２２において、所定の入賞が確定したか否かが判定される。具体的には、当選フラグ成立中に当該当選フラグに対応する当選図柄が入賞有効ライン上に揃ったか否かが判定される。そして、所定の入賞が確定した場合には、次のステップ１２４に進む。
【０１２３】
ステップ１２４において、当選役に相当するメダルが排出される。ここでいうメダル排出処理とは、ホッパー制御手段300が、ホッパー5のメダル排出口5aからメダルを排出させるようにホッパー5の動作を制御することをいう。そして、次のステップ１２６に進む。
ステップ１２６において、回転リール23が自動停止したか否かが判断される。具体的には、自動停止手段230が、回転停止制御手段266へ向けて回転停止信号を出力し、回転リール23を自動停止させたか否かが判断される。そして、回転リール23が自動停止した場合には、次のステップ１２８に進む。
ステップ１２８において、メダル払い出し無効処理が実行される。具体的には、メダル回収部制御手段250が、ホッパー5から排出されたメダルを、払出通路6aの途中で回収するように、メダル回収部80の動作を制御する。そして遊技が終了する。
【０１２４】
前記ステップ１０６おいて、遮蔽部62が回転リール23の図柄を遮蔽していないと判断された場合、具体的には、遮蔽部62が回転リール23に付されている図柄の図柄表示窓32を介しての視認を不可能な状態にしていないと判断されれた場合、ステップ１０８を飛び越して、ステップ１１０へ進む。
前記ステップ１１０において、回転リール23の回転が開始してから所定の時間（３０秒）に達していないと判定された場合、ステップ１１２及びステップ１１４を飛び越して、ステップ１１６に進む。
前記ステップ１２０において、三個の回転リール23に対応するストップスイッチ55の操作が行われていないと判定された場合、ステップ１１０に戻る。
【０１２５】
前記ステップ１２２において、所定の当選当に入賞していないと判定された場合、ステップ１２４、ステップ１２６及びステップ１２８を飛び越して、遊技が終了する。
前記ステップ１２６において、回転リール23が自動停止していないと判断された場合、ステップ１２８を飛び越して、遊技が終了する。
（作用・効果）
本実施の形態によれば、回転リール時間判定手段234が、回転リール時間計測手段232が計測した回転リール23の回転が開始してからの時間が所定の時間（３０秒）に達した場合には、停止判定信号を自動停止手段230へ向けて出力することにより、自動停止手段230は回転リール23の回転を停止させ、遮蔽部制御手段240は、自動停止手段230が回転リール23の回転を停止させたとき、回転リール23に付されている図柄の図柄表示窓32を介しての視認が不可能になるように、遮蔽部62の動作を制御し、かつ、メダル回収部制御手段250は、自動停止手段230が回転リール23の回転を停止させた場合であって、ホッパー制御手段300が入賞判定手段268の判定結果に基づいてメダル排出口5aからメダルを排出させるようにホッパー5の動作を制御したときには、メダルを回収するようにメダル回収部80の動作を制御している。
【０１２６】
これにより、回転リール23の回転の自動停止させた場合であっても、遊技の動作を制御する制御装置200等に、過度の処理負担をかけることなく、入賞時メダルの払い出しを行わないようにできるとともに、遊技の結果である回転リール23停止時の表示態様が入賞の態様であっても、遊技者からその表示を見えないようすることができ、遊技者からの不満を回避することができる。
また、本実施の形態においては、遮蔽部62である液晶パネルは、自動停止手段230が回転リール23の回転を停止させ、遮蔽部62である液晶パネルが図柄表示窓32を塞ぐような位置に移動し、回転リール23に付されている図柄の図柄表示窓32を介しての視認を不可能にしたときは、前面に「停止中」の文字を表示させるように形成されている。
【０１２７】
これにより、回転リール23が自動停止したときには、その旨を遊技者に報知することができる。また、遮蔽部62は液晶パネルから構成されているため、その他の文字や図柄の表示が可能になっている。これにより、液晶パネルに文字や図柄を表示することによる演出効果を期待することできる。
また、本実施の形態においては、回転停止制御手段266は、自動停止手段230から出力された回転停止信号を受信してから２秒を経過後に全ての回転リール23の回転を停止させるように形成されている。また、遮蔽部制御手段240は、自動停止手段230から出力された回転停止信号を受信すると、直ちに、遮蔽部62が回転リール23に付されている図柄の図柄表示窓32を介しての視認が不可能にするように遮蔽装置60を制御している。
【０１２８】
また、本実施の形態では、遮蔽部制御手段240は、遮蔽部制御手段240が回転リール23に付されている図柄の図柄表示窓32を介しての視認を不可能にするように遮蔽部62の動作を制御した後に、スタートスイッチ54が押された場合、スタートスイッチ54が押されてからの時間を計測し、計測時間が２秒に達すると、遮蔽解除信号を、遮蔽装置60へ向けて出力するように形成され、遮蔽装置60は、遮蔽解除信号を受信することにより、回転リール23に付されている図柄の図柄表示窓32を介しての視認を可能にするように、遮蔽部62の動作を制御している。
これにより、遮蔽部制御手段240を、自動停止手段230が回転リール23の回転を停止させるときには、回転リール23の回転が停止する前に、回転リール23に付されている図柄の図柄表示窓32を介しての視認を不可能にするように遮蔽部62の動作を制御し、かつ、その後、スタートスイッチ54が操作されることにより、回転リール23の回転が開始するときには、回転リール23の回転が開始した後に、回転リール23に付されている図柄の図柄表示窓32を介しての視認を可能にするように、遮蔽部62の動作を制御するように形成することができ、回転リール23の回転を自動停止させた場合に、回転リール23の停止表示図柄を、確実に遊技者が視認することができないようにすることができる。
【０１２９】
（変形例）
第１の実施の形態の変形例として、以下に示すように形成することができる。
（１）また、第１の実施の形態では、遮蔽装置60に、遮蔽部材61と、駆動装置（図示せず）とを備え、遮蔽部材61を、２個の駆動装置の双方の回転軸65を中心にして、回転リール23の周りを回動可能に取り付けることにより、遮蔽部62を回転リール23の前方の位置であって、回転リール23の図柄の図柄表示窓32を介しての視認が不可能になるような位置（停止表示図柄が見えなくなるような位置）と、回転リール23の上方の位置であって、回転リール23の図柄の図柄表示窓32を介しての視認が可能になるような位置（停止表示図柄が見えるような位置）との間を移動可能に形成されている。
【０１３０】
これに対し、変形例（１）として、遮蔽部62として、シャッターを用いても良い。この場合、図１０に示すように、遮蔽装置60に、板状に形成された遮蔽部62としてシャッターと、シャッターを上下方向へ移動させるシャッター駆動装置とを備えるように形成する。
そして、図１０（Ｂ）に示すように、遮蔽部62としてのシャッターを下方向へ向けて移動させると、図柄表示窓32の前面を塞ぎ、回転リール23に付されている図柄の図柄表示窓32を介しての視認を不可能にすることができるように形成する。また、図１０（Ａ）に示すように、遮蔽部62としてのシャッターを上方向へ向けて移動させると、図柄表示窓32の前方の遮蔽を解除し、回転リール23に付されている図柄の図柄表示窓32を介しての視認を可能にすることができるように形成する。
【０１３１】
また、遮蔽部62としてシャッターを、第１の実施の形態と同様の遮蔽部制御手段240により制御することができる。この場合、遮蔽装置60は、遮蔽部制御手段240から遮蔽装置60へ向けて出力された遮蔽信号を受信すると、シャッター駆動装置がシャッターを下方向へ向けて移動させ、図柄表示窓32を塞ぐように遮蔽部62であるシャッターの動作を制御する
また、遮蔽装置60は、遮蔽部制御手段240から遮蔽装置60へ向けて出力された遮蔽解除信号を受信すると、シャッター駆動装置がシャッターを上方向へ向けて移動させ、図柄表示窓32の前方の遮蔽を解除するように遮蔽部62であるシャッターの動作を制御する
また、この場合においても、第１の実施の形態と同様に、シャッターに液晶パネルを用いることもできる。
【０１３２】
このように形成しても、回転リール23に付されている図柄の図柄表示窓32を介しての視認を可能にしたり不可能にしたりすることができるので、第１の実施の形態と同様の作用・効果を得ることができる。
（２）第１の実施の形態では、遮蔽装置60に、遮蔽部材61と、駆動装置（図示せず）とを備え、遮蔽部材61を、２個の駆動装置の双方の回転軸65を中心にして、回転リール23の周りを回動可能に取り付けることにより、遮蔽部62を、回転リール23の前方の位置であって、回転リール23の図柄の図柄表示窓32を介しての視認が不可能になるような位置（停止表示図柄が見えなくなるような位置）と、回転リール23の上方の位置であって、回転リール23の図柄の図柄表示窓32を介しての視認が可能になるような位置（停止表示図柄が見えるような位置）との間を移動可能に形成されている。
【０１３３】
これに対し、変形例（２）として、遮蔽部62として、変形例（１）と同様にシャッターを用いても良い。また、変形例（２）として、図１１の示すように、遮蔽装置60に、板状に形成された遮蔽部62としてシャッターと、シャッターを駆動させるシャッター駆動装置とを備えるように形成する。
また、この場合、シャッターを、左側に位置する左シャッターと、右側に位置する右シャッターとから構成する。また、シャッターの駆動装置を、左シャッターを制御する左シャッター駆動装置と、右シャッターを制御する右シャッター駆動装置とから構成する。
そして、図１１（Ｂ）に示すように、左シャッターと右シャッターを中心方向へ向けて移動（左シャッターを右方向へ向けて移動、及び右シャッターを左方向へ向けて移動）させると、図柄表示窓32の前面を塞ぎ、回転リール23に付されている図柄の図柄表示窓32を介しての視認を不可能にすることができるように形成する。
【０１３４】
また、図１１（Ａ）に示すように、左シャッターを左方向へ向けて移動させ、かつ、及び右シャッターを右方向へ向けて移動させると、図柄表示窓32の前方の遮蔽を解除し、回転リール23に付されている図柄の図柄表示窓32を介しての視認を可能にすることができるように形成する。
また、遮蔽部62としてシャッターを、第１の実施の形態と同様の遮蔽部制御手段240により制御することができる。この場合、遮蔽装置60は、遮蔽部制御手段240から遮蔽装置60へ向けて出力された遮蔽信号を受信すると、左シャッター駆動装置が左シャッターを中心方向へ向けて移動（右方向へ向けて移動）させ、かつ、右シャッター駆動装置が右シャッターを中心方向へ向けて移動（右方向へ向けて移動）させ、図柄表示窓32を塞ぐように、遮蔽部62であるシャッターの動作を制御する
また、遮蔽装置60は、遮蔽部制御手段240から遮蔽装置60へ向けて出力された遮蔽解除信号を受信すると、左シャッター駆動装置が左シャッターを左方向へ向けて移動させ、かつ、右シャッター駆動装置が右シャッターを右方向へ向けて移動させ、図柄表示窓32の前方の遮蔽を解除するように、遮蔽部62であるシャッターの動作を制御する
また、この場合においても、第１の実施の形態と同様に、シャッターに液晶パネルを用いることもできる。
【０１３５】
このように形成しても、回転リール23に付されている図柄の図柄表示窓32を介しての視認を可能にしたり不可能にしたりすることができるので、第１の実施の形態と同様の作用・効果を得ることができる。
（３）第１の実施の形態では、遮蔽装置60に、遮蔽部材61と、駆動装置（図示せず）とを備え、遮蔽部材61を、２個の駆動装置の双方の回転軸65を中心にして、回転リール23の周りを回動可能に取り付けることにより、遮蔽部62を回転リール23の前方の位置であって、回転リール23の図柄の図柄表示窓32を介しての視認が不可能になるような位置（停止表示図柄が見えなくなるような位置）と、回転リール23の上方の位置であって、回転リール23の図柄の図柄表示窓32を介しての視認が可能になるような位置（停止表示図柄が見えるような位置）との間を移動可能に形成されている。
【０１３６】
これに対し、変形例（３）として、遮蔽部62として、エレクトロルミネッサンス表示装置を用いても良い。また、エレクトロルミネッサンス表示装置は、通常、電圧が印加されていない場合には透明の状態となり、電圧が印加されると、非透明の状態になるとともに所定のメッセージや図柄等の表示が可能になるものである。
また、この場合、遮蔽装置60には、遮蔽部62としてのエレクトロルミネッサンス表示装置と、エレクトロルミネッサンス制御手段とを備えることができる。
この場合、図１２に示すように、遮蔽部62として板状のエレクトロルミネッサンス表示装置を備えるように形成する。また、遮蔽部62としてエレクトロルミネッサンス表示装置が図柄表示窓32を塞ぐように備える。また、図１２（Ａ）に示すように、遮蔽部62としてエレクトロルミネッサンス表示装置を、通常、電圧が印加されていない場合には透明の状態となり、回転リール23に付されている図柄の図柄表示窓32を介しての視認を可能にすることができるように形成する。また、図１２（Ｂ）に示すように、遮蔽部62としてエレクトロルミネッサンス表示装置を、電圧が印加されると、非透明の状態となり、回転リール23に付されている図柄の図柄表示窓32を介しての視認を不可能にするとともに、「停止中」の文字が表示されるように形成する。
【０１３７】
また、遮蔽部62としてのエレクトロルミネッサンス表示装置を、第１の実施の形態と同様の遮蔽部制御手段240により制御することができる。この場合、遮蔽装置60は、遮蔽部制御手段240から遮蔽装置60へ向けて出力された遮蔽信号を受信すると、エレクトロルミネッサンス制御手段が、エレクトロルミネッサンス表示装置に電圧を印加して、非透明の状態にすることにより、回転リール23に付されている図柄の図柄表示窓32を介しての視認を不可能にするとともに、「停止中」の文字が表示するように、遮蔽部62としてのエレクトロルミネッサンス表示装置の動作を制御する。
また、遮蔽装置60は、遮蔽部制御手段240から遮蔽装置60へ向けて出力された遮蔽解除信号を受信すると、エレクトロルミネッサンス制御手段が、エレクトロルミネッサンス表示装置に対する電圧の印加を中止して、透明の状態にすることにより、回転リール23に付されている図柄の図柄表示窓32を介しての視認を可能にするように、遮蔽部62としてのエレクトロルミネッサンス表示装置の動作を制御する。
【０１３８】
このように形成しても、回転リール23に付されている図柄の図柄表示窓32を介しての視認を可能にしたり不可能にしたりすることができるので、第１の実施の形態と同様の作用・効果を得ることができる。
（第２の実施の形態）
以下、本発明にかかる第２の実施の形態について説明する。
第１の実施の形態では、メダル排出口5aから払出口41へ移送されるメダルを、払出通路6aの途中で回収するためのメダル回収部80を備え、メダル回収部制御手段250は、自動停止手段230が回転リール23の回転を停止させた場合であって、ホッパー制御手段300が入賞判定手段268の判定結果に基づいてメダル排出口5aからメダルを排出させるようにホッパー5の動作を制御したときには、メダルを回収するようにメダル回収部80の動作を制御することにより、回転リール23が自動停止した場合であって、回転リール23の停止時の表示態様が入賞の態様のときであっても、入賞時メダルの払い出しを行わないようにしている。
【０１３９】
これに対し、第２の実施の形態として、メダル回収部80及びメダル回収部制御手段250に換えて、入賞判定停止手段を備えるようにしても良い。
また、入賞判定停止手段は、自動停止手段230が回転リール23の回転を停止させたときは、入賞判定手段268による入賞判定を行わせないようにするものである。
具体的には、自動停止手段230が回転リール23を停止させた場合（回転停止制御手段266へ向けて回転停止信号を出力した場合）に、入賞判定停止手段へ向けても回転停止信号を出力するように自動停止手段230を形成する。そして、入賞判定停止手段を、回転停止信号を受信すると、入賞判定手段268へ向けて、入賞判定停止信号を出力するように形成する。
【０１４０】
そして、入賞判定手段268を、入賞判定停止手段から入賞判定手段268へ向けて出力された入賞判定停止信号を受信すると、その後に、回転リール23の回転が停止しても入賞判定を行わないよう形成する。
このように形成しても、回転リール23が自動停止した場合であって、回転リール23の停止時の表示態様が入賞の態様のときであっても、入賞時のメダルの払い出しを行わないようにできるので第１の実施の形態と同様の作用・効果を得ることができる。
（第３の実施の形態）
第１の実施の形態では、メダル排出口5aから払出口41へ移送されるメダルを、払出通路6aの途中で回収するためのメダル回収部80を備え、メダル回収部制御手段250は、自動停止手段230が回転リール23の回転を停止させた場合であって、ホッパー制御手段300が入賞判定手段268の判定結果に基づいてメダル排出口5aからメダルを排出させるようにホッパー5の動作を制御したときには、メダルを回収するようにメダル回収部80の動作を制御することにより、回転リール23が自動停止した場合であって、回転リール23の停止時の表示態様が入賞の態様のときであっても、入賞時メダルの払い出しを行わないようにしている。
【０１４１】
これに対し、第３の実施の形態として、メダル回収部80及びメダル回収部制御手段250に換えて、入賞判定無効手段を備えるようにしても良い。
すなわち、入賞判定無効手段は、自動停止手段230が回転リール23の回転を停止させたときは、入賞判定手段268による入賞判定の結果を無効にするものである。
具体的には、自動停止手段230が回転リール23を停止させた場合（回転停止制御手段266へ向けて回転停止信号を出力した場合）に、入賞判定無効手段へ向けても回転停止信号を出力するように自動停止手段230を形成する。そして、入賞判定無効手段を、回転停止信号を受信すると、入賞判定手段268へ向けて、入賞判定無効信号を出力するように形成する。
【０１４２】
そして、入賞判定手段268を、入賞判定無効手段から入賞判定手段268へ向けて出力された入賞判定停止信号を受信すると、その後に、全ての回転リール23の回転が停止して、入賞の判定が行われても、その入賞判定の結果を無効にするよう形成する。
このように形成しても、回転リール23が自動停止した場合であって、回転リール23の停止時の表示態様が入賞の態様のときであっても、入賞時のメダルの払い出しを行わないようにできるので第１の実施の形態と同様の作用・効果を得ることができる。
【図面の簡単な説明】
【０１４３】
【図１】第１の実施の形態にかかるスロットマシンの外観斜視図である。
【図２】第１の実施の形態にかかるスロットマシンの外部及び内部示す斜視図である。
【図３】第１の実施の形態にかかるスロットマシンの断面図である。
【図４】第１の実施の形態にかかるスロットマシンのメダル回収部を示す拡大図である。
【図５】第１の実施の形態にかかるスロットマシンの上側付近の外部及び内部を示す斜視図である。
【図６】第１の実施の形態にかかるスロットマシンの入力、制御及び出力を示すブロック図である。
【図７】第１の実施の形態にかかる特別遊技制御手段を示すブロック図である。
【図８】第１の実施の形態にかかる当選抽選手段を示すブロック図である。
【図９】第１の実施の形態にかかるスロットマシンの遊技動作を示すフロー図である。
【図１０】第１の実施の形態にかかる変形例であるスロットマシンの正面図である。
【図１１】第１の実施の形態にかかる変形例であるスロットマシンの正面図である。
【図１２】第１の実施の形態にかかる変形例であるスロットマシンの正面図である。
【符号の説明】
【０１４４】
S     スロットマシン
1     筐体ユニット              3     前扉
5     ホッパー                  5a    メダル排出口
6     払出通路部材              6a    払出通路
7     回収通路部材              7a    回収通路
7b    回収通路排出口            8     予備タンク
20    リールユニット
23    回転リール                23a   左側回転リール
23b   中央回転リール            23c   右側回転リール
30    上扉
32    図柄表示窓                33    ランプ
40    下扉                      41    払出口
42    メダル投入口              43    下皿
49    スピーカ                  52    ベットスイッチ
53    精算スイッチ              54    スタートスイッチ
55    ストップスイッチ
60    遮蔽装置                  61    遮蔽部材
62    遮蔽部                    64    側板
65    回転軸
80    メダル回収部              82    振分部
84    払出停止板                85    払出停止板駆動装置
86    通路開放板                87    通路開放板駆動装置
175   投入検知手段
200   制御装置                  210   遊技制御装置
220   演出制御装置              230   自動停止手段
232   回転リール時間計測手段    234   回転リール時間判定手段
240   遮蔽部制御手段            250   メダル回収部制御手段
260   通常遊技制御手段          266   回転停止制御手段
268   入賞判定手段              270   特別遊技制御手段
271   特定導入遊技制御手段      272   特定遊技制御手段
280   当選抽選手段              281   乱数発生手段
282   乱数抽出手段              283   当選判定テーブル
284   判定手段
300   ホッパー制御手段          310   ランプ制御手段
320   スピーカ制御手段          330   演出抽選手段
【図１】
2008237471.tif 000003
【図２】
2008237471.tif 000004
【図３】
2008237471.tif 000005
【図４】
2008237471.tif 000006
【図５】
2008237471.tif 000007
【図６】
2008237471.tif 000008
【図７】
2008237471.tif 000009
【図８】
2008237471.tif 000010
【図９】
2008237471.tif 000011
【図１０】
2008237471.tif 000012
【図１１】
2008237471.tif 000013
【図１２】
2008237471.tif 000014